(57)【要約】【課題】観光者の観光体験を、各観光スポットを移動した順序で臨場感を持って追体験することのできる追体験システムを提供する。【解決手段】コンテンツサーバ３０は、観光者に携帯されるガイダンス端末１０によって各観光スポットにおいて記録された音声情報ＲＶを受信して、これを観光者が各観光スポットを観光した観光順序を判別するための時間情報とともにＤＢ４０に蓄積させる。ユーザ端末５０は、追体験者により入力された観光者を示すＩＤに対応する音声情報ＲＶと時間情報をＤＢ４０から取得して、当該時間情報に基づく観光順序に従って音声情報ＲＶを順次出力する。【選択図】図４
2010152727.tif 000002
【特許請求の範囲】
【請求項１】
複数の観光スポットを観光する観光者により各当該観光スポットにおいて記録された音データを送信するデータ送信装置と、前記送信された音データを受信して登録するデータ登録装置と、前記登録された音データを受信して、前記観光者の観光体験を追体験する追体験者に対して出力するデータ出力装置と、を含む追体験システムであって、
前記データ送信装置は、
前記音データを記録する記録手段と、
前記記録手段により記録された音データと、当該音データが記録された前記観光スポットを識別するためのスポット識別情報と、当該音データを記録した観光者を識別するための観光者識別情報と、を対応付けて前記データ登録装置に送信する送信装置送信手段と、
を備え、
前記データ登録装置は、
前記送信装置送信手段から送信された前記音データと、前記スポット識別情報と、前記観光者識別情報を受信する登録装置第１受信手段と、
前記登録装置第１受信手段が受信した前記音データと、前記スポット識別情報と、前記観光者識別情報を、当該観光者識別情報に対応する観光者が各観光スポットを観光した観光順序を判別するための時間情報と対応付けて蓄積する音データ蓄積手段と、
前記データ出力装置から送信された前記観光者識別情報を受信する登録装置第２受信手段と、
前記登録装置第２受信手段が受信した観光者識別情報に対応する前記音データと、前記スポット識別情報と、前記時間情報とを前記音データ蓄積手段から読み出して、前記データ出力装置に送信する登録装置送信手段と、
を備え、
前記データ出力装置は、
前記追体験者が、追体験の基となる前記観光体験をした前記観光者に対応する観光者識別情報を入力するための入力手段と、
前記入力手段により入力された観光者識別情報を前記データ登録装置に送信する出力装置送信手段と、
前記登録装置送信手段から送信された前記音データと、前記スポット識別情報と、前記時間情報とを受信する出力装置受信手段と、
前記出力装置受信手段が受信した前記音データを、当該前記時間情報により定まる前記観光順序に従って出力手段に出力させる出力制御手段と、
を備えることを特徴とする追体験システム。
【請求項２】
請求項１に記載の追体験システムにおいて、
前記データ送信装置は、前記複数の観光スポットにそれぞれ設置された設置端末装置と、前記観光者に携帯されるべき携帯端末装置とを有し、
前記携帯端末装置は、
前記記録手段と、
前記記録手段により記録された音データと、当該携帯端末装置を携帯している観光者を示す前記観光者識別情報とを対応付けて前記設置端末装置に送信する携帯端末送信手段と、
を備え、
前記設置端末装置は、
前記携帯端末送信手段により送信された前記音データと前記観光者識別情報とを受信する設置端末受信手段と、
前記送信装置送信手段と、
を備え、
当該送信装置送信手段は、前記設置端末受信手段が受信した前記音データと前記観光者識別情報とに、当該設置端末装置が設置されている前記観光スポットを示す前記スポット識別情報を対応付けて前記データ登録装置に送信することを特徴とする追体験システム。
【請求項３】
請求項１に記載の追体験システムにおいて、
前記データ送信装置は、前記複数の観光スポットにそれぞれ設置された設置端末装置と、前記観光者に携帯されるべき携帯端末装置とを有し、
前記設置端末装置は、
当該設置端末装置が設置されている前記観光スポットを示す前記スポット識別情報を前記携帯端末装置に送信する設置端末送信手段を備え、
前記携帯端末装置は、
前記記録手段と、
前記設置端末送信手段により送信されたスポット識別情報を受信する携帯端末受信手段と、
前記送信装置送信手段と、
を備え、
当該送信装置送信手段は、前記記録手段により記録された音データと、前記携帯端末受信手段が受信したスポット識別情報とに、当該携帯端末装置を携帯している観光者を示す前記観光者識別情報を対応付けて前記データ登録装置に送信することを特徴とする追体験システム。
【請求項４】
請求項１乃至３の何れか一項に記載の追体験システムにおいて、
前記データ登録装置は、
各前記観光スポットに関する文字情報又は画像情報の少なくとも一方を含む観光スポット情報を蓄積する観光情報蓄積手段を更に備え、
前記登録装置送信手段が、前記登録装置第２受信手段が受信した観光者識別情報に対応する前記音データと、前記スポット識別情報と、前記時間情報とを前記音データ蓄積手段から読み出すとともに、当該スポット識別情報に対応する前記観光スポット情報を前記観光地情報蓄積手段から読み出して、前記データ出力装置に送信し、
前記データ出力装置の出力装置受信手段が、前記登録装置送信手段から送信された前記音データと、前記スポット識別情報と、前記時間情報と、前記観光スポット情報を受信し、
前記データ出力装置の前記出力制御手段が、前記出力装置受信手段が受信した前記音データと前記観光スポット情報を、当該前記時間情報により定まる前記観光順序に従って出力させることを特徴とする追体験システム。
【請求項５】
請求項１乃至４の何れか一項に記載の追体験システムにおいて、
前記データ出力装置は、
前記観光スポットについてコメント情報を入力するためのコメント入力手段と、
前記コメント入力手段により入力されたコメント情報を前記データ登録装置に送信するコメント送信手段と、
を更に備え、
前記データ登録装置は、
前記コメント送信手段から送信されたコメント情報を受信するコメント受信手段と、
前記コメント受信手段が受信したコメント情報を閲覧可能に蓄積するコメント蓄積手段と、
を更に備えることを特徴とする追体験システム。
【請求項６】
請求項５に記載の追体験システムにおいて、
前記コメント蓄積手段に閲覧可能に蓄積された前記コメント情報を表示するためのコメント表示手段と、
前記コメント表示手段に表示されたコメント情報である表示コメント情報に対する追加コメント情報を入力するための追加コメント入力手段と、
前記追加コメント入力手段により入力された追加コメント情報を前記データ登録装置に送信する追加コメント送信手段と、
を備えるコメント閲覧装置を更に含み、
前記データ登録装置は、
前記追加コメント送信手段から送信された追加コメント情報を受信する追加コメント受信手段を更に備え、
前記コメント蓄積手段が、前記追加コメント受信手段が受信した追加コメント情報を前記表示コメント情報と対応付けて、閲覧可能に蓄積することを特徴とする追体験システム。
【請求項７】
請求項１乃至６の何れか一項に記載の追体験システムに含まれる前記データ送信装置であって、
前記記録手段と、
前記送信装置送信手段と、
を備えることを特徴とするデータ送信装置。
【請求項８】
請求項１乃至６の何れか一項に記載の追体験システムに含まれる前記データ登録装置であって、
前記登録装置第１受信手段と、
前記音データ蓄積手段と、
前記登録装置第２受信手段と、
前記登録装置送信手段と、
を備えることを特徴とするデータ登録装置。
【請求項９】
請求項１乃至６の何れか一項に記載の追体験システムに含まれる前記データ出力装置であって、
前記入力手段と、
前記出力装置送信手段と、
前記出力装置受信手段と、
前記出力制御手段と、
を備えることを特徴とするデータ出力装置。
【請求項１０】
請求項１乃至６の何れか一項に記載の追体験システムに含まれる前記データ送信装置に含まれるデータ送信コンピュータを、
前記記録手段、
前記送信装置送信手段、
として機能させることを特徴とするデータ送信用プログラム。
【請求項１１】
請求項１乃至６の何れか一項に記載の追体験システムに含まれる前記データ登録装置であって前記音データ蓄積手段を備える前記データ登録装置に含まれるデータ登録コンピュータを、
前記登録装置第１受信手段、
前記登録装置第２受信手段、
前記登録装置送信手段、
として機能させることを特徴とするデータ登録用プログラム。
【請求項１２】
請求項１乃至６の何れか一項に記載の追体験システムに含まれる前記データ出力装置であって前記入力手段と前記出力手段を備える前記データ出力装置に含まれるデータ出力コンピュータを、
前記出力装置送信手段、
前記出力装置受信手段、
前記出力制御手段、
として機能させることを特徴とするデータ出力用プログラム。
【発明の詳細な説明】
【技術分野】
【０００１】
本発明は、追体験システム、データ送信装置、データ登録装置及びデータ出力装置並びにデータ送信用プログラム、データ登録用プログラム及びデータ出力用プログラムの技術分野に属し、より詳細には、例えば観光者の観光体験を追体験するための環境を提供する追体験システム、データ送信装置、データ登録装置及びデータ出力装置並びにデータ送信用プログラム、データ登録用プログラム及びデータ出力用プログラムの技術分野に属する。
【背景技術】
【０００２】
従来、観光者の中には観光スポットで記録した画像データ等をサーバに蓄積させておき、後にこれを視聴することにより観光を追体験する者がいた。そうした中、撮影装置を備えた端末装置をユーザが訪れるであろう地点に予め設置しておき、当該地点を訪れたユーザの姿を撮影装置で撮影し、ネットワークを介して端末装置と接続されているサーバにその画像データ等をユーザＩＤと紐付けて蓄積するシステムが知られている（例えば、特許文献１の段落００１０）。このシステムによれば、ユーザは自分でデジタルカメラ等を持ち歩く必要がなく、自己の画像データ等にもユーザＩＤを用いて容易にアクセスすることができる。
【特許文献１】特開２００１−２９７１５０公報
【発明の開示】
【発明が解決しようとする課題】
【０００３】
しかしながら、上述したシステムを観光体験の追体験システムに適用すべく、撮影装置などの記録装置を備えた端末装置を各観光スポットに設置することとした場合、上述したシステムでは、各観光スポットを移動した順序や時刻を記録する構成となっていないことから、観光者が実際に各観光スポットを移動した順序に沿って観光を追体験することが困難であるという問題点があった。
【０００４】
そこで本発明は、上記の問題点に鑑みて為されたもので、その課題は、観光者の観光体験を、各観光スポットを移動した順序で臨場感を持って追体験することのできる追体験システム、データ送信装置、データ登録装置及びデータ出力装置並びにデータ送信用プログラム、データ登録用プログラム及びデータ出力用プログラムを提供することにある。
【課題を解決するための手段】
【０００５】
上記の課題を解決するために、請求項１に記載の発明は、複数の観光スポットを観光する観光者により各当該観光スポットにおいて記録された音データを送信するデータ送信装置と、前記送信された音データを受信して登録するデータ登録装置と、前記登録された音データを受信して、前記観光者の観光体験を追体験する追体験者に対して出力するデータ出力装置と、を含む追体験システムであって、前記データ送信装置は、前記音データを記録する記録手段と、前記記録手段により記録された音データと、当該音データが記録された前記観光スポットを識別するためのスポット識別情報と、当該音データを記録した観光者を識別するための観光者識別情報と、を対応付けて前記データ登録装置に送信する送信装置送信手段と、を備え、前記データ登録装置は、前記送信装置送信手段から送信された前記音データと、前記スポット識別情報と、前記観光者識別情報を受信する登録装置第１受信手段と、前記登録装置第１受信手段が受信した前記音データと、前記スポット識別情報と、前記観光者識別情報を、当該観光者識別情報に対応する観光者が各観光スポットを観光した観光順序を判別するための時間情報と対応付けて蓄積する音データ蓄積手段と、前記データ出力装置から送信された前記観光者識別情報を受信する登録装置第２受信手段と、前記登録装置第２受信手段が受信した観光者識別情報に対応する前記音データと、前記スポット識別情報と、前記時間情報とを前記音データ蓄積手段から読み出して、前記データ出力装置に送信する登録装置送信手段と、を備え、前記データ出力装置は、前記追体験者が、追体験の基となる前記観光体験をした前記観光者に対応する観光者識別情報を入力するための入力手段と、前記入力手段により入力された観光者識別情報を前記データ登録装置に送信する出力装置送信手段と、前記登録装置送信手段から送信された前記音データと、前記スポット識別情報と、前記時間情報とを受信する出力装置受信手段と、前記出力装置受信手段が受信した前記音データを、当該前記時間情報により定まる前記観光順序に従って出力手段に出力させる出力制御手段と、を備える。
【０００６】
よって、データ出力装置は各観光スポットにおいて記録された音データを、観光者の観光順序に従って出力することから、追体験者は、観光者の観光体験を各観光スポットを移動した順序で追体験することができる。特に、観光スポットにおいて記録された音データは、観光者が観光スポットを訪れた際の観光スポットにおける生の音声に基づくものであることから、追体験者は臨場感を持って追体験をすることができる。
【０００７】
また、請求項２に記載の発明は、請求項１に記載の追体験システムにおいて、前記データ送信装置は、前記複数の観光スポットにそれぞれ設置された設置端末装置と、前記観光者に携帯されるべき携帯端末装置とを有し、前記携帯端末装置は、前記記録手段と、前記記録手段により記録された音データと、当該携帯端末装置を携帯している観光者を示す前記観光者識別情報とを対応付けて前記設置端末装置に送信する携帯端末送信手段と、を備え、前記設置端末装置は、前記携帯端末送信手段により送信された前記音データと前記観光者識別情報とを受信する設置端末受信手段と、前記送信装置送信手段と、を備え、当該送信装置送信手段は、前記設置端末受信手段が受信した前記音データと前記観光者識別情報とに、当該設置端末装置が設置されている前記観光スポットを示す前記スポット識別情報を対応付けて前記データ登録装置に送信するように構成されている。
【０００８】
よって、データ登録装置へのデータ送信を設置端末装置が行うことから、携帯端末装置における当該データ送信のための部品が不要となり、当該携帯端末装置の小型化／軽量化を実現することができる。
【０００９】
また、請求項３に記載の発明は、請求項１に記載の追体験システムにおいて、前記データ送信装置は、前記複数の観光スポットにそれぞれ設置された設置端末装置と、前記観光者に携帯されるべき携帯端末装置とを有し、前記設置端末装置は、当該設置端末装置が設置されている前記観光スポットを示す前記スポット識別情報を前記携帯端末装置に送信する設置端末送信手段を備え、前記携帯端末装置は、前記記録手段と、前記設置端末送信手段により送信されたスポット識別情報を受信する携帯端末受信手段と、前記送信装置送信手段と、を備え、当該送信装置送信手段は、前記記録手段により記録された音データと、前記携帯端末受信手段が受信したスポット識別情報とに、当該携帯端末装置を携帯している観光者を示す前記観光者識別情報を対応付けて前記データ登録装置に送信するように構成されている。
【００１０】
よって、データ登録装置へのデータ送信を携帯端末装置が行うことから、設置端末装置における当該データ送信のための部品が不要となり、当該設置端末装置の小型化／軽量化を実現することができる。
【００１１】
また、請求項４に記載の発明は、請求項１乃至３の何れか一項に記載の追体験システムにおいて、前記データ登録装置は、各前記観光スポットに関する文字情報又は画像情報の少なくとも一方を含む観光スポット情報を蓄積する観光情報蓄積手段を更に備え、前記登録装置送信手段が、前記登録装置第２受信手段が受信した観光者識別情報に対応する前記音データと、前記スポット識別情報と、前記時間情報とを前記音データ蓄積手段から読み出すとともに、当該スポット識別情報に対応する前記観光スポット情報を前記観光地情報蓄積手段から読み出して、前記データ出力装置に送信し、前記データ出力装置の出力装置受信手段が、前記登録装置送信手段から送信された前記音データと、前記スポット識別情報と、前記時間情報と、前記観光スポット情報を受信し、前記データ出力装置の前記出力制御手段が、前記出力装置受信手段が受信した前記音データと前記観光スポット情報を、当該前記時間情報により定まる前記観光順序に従って出力させるように構成されている。
【００１２】
よって、データ出力装置は各観光スポットにおいて記録された音データと共に、当該観光スポットに関する文字情報又は画像情報を、観光者の観光順序に従って出力することから、追体験者は更に臨場感を持って追体験をすることができるとともに、観光スポットに関する情報を享受することができる。
【００１３】
また、請求項５に記載の発明は、請求項１乃至４の何れか一項に記載の追体験システムにおいて、前記データ出力装置は、前記観光スポットについてコメント情報を入力するためのコメント入力手段と、前記コメント入力手段により入力されたコメント情報を前記データ登録装置に送信するコメント送信手段と、を更に備え、前記データ登録装置は、前記コメント送信手段から送信されたコメント情報を受信するコメント受信手段と、前記コメント受信手段が受信したコメント情報を閲覧可能に蓄積するコメント蓄積手段と、を更に備える。
【００１４】
よって、観光スポットについて書き込まれたコメントを他者が閲覧することができる。
【００１５】
また、請求項６に記載の発明は、請求項５に記載の追体験システムにおいて、前記コメント蓄積手段に閲覧可能に蓄積された前記コメント情報を表示するためのコメント表示手段と、前記コメント表示手段に表示されたコメント情報である表示コメント情報に対する追加コメント情報を入力するための追加コメント入力手段と、前記追加コメント入力手段により入力された追加コメント情報を前記データ登録装置に送信する追加コメント送信手段と、を備えるコメント閲覧装置を更に含み、前記データ登録装置は、前記追加コメント送信手段から送信された追加コメント情報を受信する追加コメント受信手段を更に備え、前記コメント蓄積手段が、前記追加コメント受信手段が受信した追加コメント情報を前記表示コメント情報と対応付けて、閲覧可能に蓄積するように構成されている。
【００１６】
よって、追体験者が観光スポットについて書き込んだコメントを閲覧した者は、当該コメントに対するコメントを更に書き込み、これを他者に閲覧させることができる。
【００１７】
また、請求項７に記載の発明は、請求項１乃至６の何れか一項に記載の追体験システムに含まれる前記データ送信装置であって、前記記録手段と、前記送信装置送信手段と、を備える。
【００１８】
よって、データ送信装置は、観光者が各観光スポットにおいて記録した音データと、当該音データが記録された観光スポットを識別するためのスポット識別情報と、当該音データを記録した観光者を識別するための観光者識別情報と、を対応付けてデータ登録装置に送信することから、追体験者は、観光者が観光スポットを訪れた際の観光スポットにおける生の音声を聴くことができ、臨場感を持って追体験をすることができる。
【００１９】
また、請求項８に記載の発明は、請求項１乃至６の何れか一項に記載の追体験システムに含まれる前記データ登録装置であって、前記登録装置第１受信手段と、前記音データ蓄積手段と、前記登録装置第２受信手段と、前記登録装置送信手段と、を備える。
【００２０】
よって、データ登録装置は、データ送信装置から受信した音データと、スポット識別情報と、観光者識別情報を、観光者が各観光スポットを観光した観光順序を判別するための時間情報と対応付けて蓄積し、また、データ出力装置から受信した観光者識別情報に応じた音データと、スポット識別情報と、時間情報とをデータ出力装置に送信する。これにより、追体験者は、観光者の観光体験を各観光スポットを移動した順序で追体験することができる。
【００２１】
また、請求項９に記載の発明は、請求項１乃至６の何れか一項に記載の追体験システムに含まれる前記データ出力装置であって、前記入力手段と、前記出力装置送信手段と、前記出力装置受信手段と、前記出力制御手段と、を備える。
【００２２】
よって、データ出力装置は、追体験者により入力された追体験の基となる観光体験をした観光者に対応する観光者識別情報に応じた音データを、当該観光者の観光順序に従って出力させる。これにより、追体験者は、追体験を望む観光体験をした観光者に対応する観光者識別情報を入力することで、当該観光体験を各観光スポットを移動した順序で追体験することができる。
【００２３】
また、請求項１０に記載の発明は、請求項１乃至６の何れか一項に記載の追体験システムに含まれる前記データ送信装置に含まれるデータ送信コンピュータを、前記記録手段、前記送信装置送信手段、として機能させるデータ送信用プログラムである。
【００２４】
よって、データ送信用プログラムをデータ送信コンピュータにより読み出して実行することにより、観光者が各観光スポットにおいて記録した音データと、当該音データが記録された観光スポットを識別するためのスポット識別情報と、当該音データを記録した観光者を識別するための観光者識別情報と、を対応付けてデータ登録装置に送信するように当該データ送信コンピュータが機能することから、追体験者は、観光者が観光スポットを訪れた際の観光スポットにおける生の音声を聴くことができ、臨場感を持って追体験をすることができる。
【００２５】
また、請求項１１に記載の発明は、請求項１乃至６の何れか一項に記載の追体験システムに含まれる前記データ登録装置であって前記音データ蓄積手段を備える前記データ登録装置に含まれるデータ登録コンピュータを、前記登録装置第１受信手段、前記登録装置第２受信手段、前記登録装置送信手段、として機能させるデータ登録用プログラムである。
【００２６】
よって、データ登録用プログラムをデータ登録コンピュータにより読み出して実行することにより、データ送信装置から受信した音データと、スポット識別情報と、観光者識別情報を、観光者が各観光スポットを観光した観光順序を判別するための時間情報と対応付けて蓄積し、また、データ出力装置から送信された観光者識別情報に応じた音データと、スポット識別情報と、時間情報とをデータ出力装置に送信するように当該データ登録コンピュータが機能する。これにより、追体験者は、観光者の観光体験を各観光スポットを移動した順序で追体験することができる。
【００２７】
また、請求項１２に記載の発明は、請求項１乃至６の何れか一項に記載の追体験システムに含まれる前記データ出力装置であって前記入力手段と前記出力手段を備える前記データ出力装置に含まれるデータ出力コンピュータを、前記出力装置送信手段、前記出力装置受信手段、前記出力制御手段、として機能させるデータ出力用プログラムである。
【００２８】
よって、データ出力用プログラムをデータ出力コンピュータにより読み出して実行することにより、追体験者により入力された追体験の基となる観光体験をした観光者に対応する観光者識別情報に応じた音データを、当該観光者の観光順序に従って出力させるように当該データ出力コンピュータが機能する。これにより、追体験者は、追体験を望む観光体験をした観光者に対応する観光者識別情報を入力することで、当該観光体験を各観光スポットを移動した順序で追体験することができる。
【発明の効果】
【００２９】
本発明によれば、データ出力装置は各観光スポットにおいて記録された音データを、観光者の観光順序に従って出力することから、追体験者は、観光者の観光体験を各観光スポットを移動した順序で追体験することができる。特に、観光スポットにおいて記録された音データは、観光者が観光スポットを訪れた際の観光スポットにおける生の音声に基づくものであることから、追体験者は臨場感を持って追体験をすることができる。
【発明を実施するための最良の形態】
【００３０】
次に、本発明を実施するための最良の形態について説明する。ここで、以下に説明する実施形態は、複数の観光スポット（例えば、史跡や名所等）を含む観光エリア（例えば、都市や地域等）を観光者が周遊する場合に、各観光スポットにおいて、その観光スポットに関連する関連情報（以下、「ガイダンス情報」と称する。）を音声でその観光者に聴取させるとともに、その観光スポットにおける観光者の感想やその周囲の音を音声情報として録音・記録して、その後、観光スポットを訪れた順序で当該観光スポットの画像情報及び記録した音声情報を取得可能な追体験システムに対して本発明を適用した場合の実施の形態である。
【００３１】
［第１実施形態］
まず、第1実施形態について図１〜図１９を用いて説明する。最初に、図１〜図９を用いて、追体験システムＳの概要について説明する。なお、図１は第１実施形態に係る追体験システムの全体構成を示すブロック図である。図２〜図９は実施形態に係る追体験システムにおける画面例を示す図である。
【００３２】
図１に示すように、第１実施形態に係る追体験システムＳは、追体験システムＳのユーザである観光者に携帯され、ガイダンス情報ＧＶを発音するとともに音声情報ＲＶを記録可能なガイダンス端末１０と、各観光スポットに設置され、ガイダンス端末１０と無線による通信が可能な配信端末２０（図１では、各観光スポットに配信端末２０１〜２０ｎが設置されている）と、配信端末２０及びユーザ端末５０とネットワークＮを介して接続され、ガイダンス情報ＧＶ、音声情報ＲＶ、観光スポットに関する画像情報や文字情報などを含むコンテンツ情報、観光スポットに関するユーザのコメント情報ＣＭ等を蓄積して、適宜、ガイダンス情報ＧＶを各ガイダンス端末１０に配信したり、コンテンツ情報、音声情報ＲＶ、コメント情報ＣＭをユーザ端末５０に送信したりするコンテンツサーバ３０と、コンテンツサーバ３０にユーザ認証を経て接続可能であって、コメント情報ＣＭを送信し、コンテンツ情報、音声情報ＲＶ、コメント情報ＣＭを受信するユーザ端末５０と、により構成されている。
【００３３】
次に追体験システムＳの動作の概要について説明する。なお、観光者と、当該観光者が携帯するガイダンス端末１０とは、ユーザ識別情報ＩＤＵ（「ユーザＩＤ」という場合がある）とガイダンス端末識別情報ＩＤＧ（「ガイダンス端末ＩＤ」という場合がある）によって予め１対１で紐付けられている。また、各配信端末２０は、それぞれが設置されている観光スポットを識別するためのスポット識別情報ＩＤＳ（「スポットＩＤ」という場合がある）と予め１対１で紐付けられている。
【００３４】
ガイダンス端末１０は、観光スポットに設置された配信端末２０の検知範囲内に入ると、自らのガイダンス端末識別情報ＩＤＧを配信端末２０に送信する。次いで、配信端末２０は受信したガイダンス端末識別情報ＩＤＧに、自らが設置されている観光スポットのスポット識別情報ＩＤＳを付して、ネットワークＮを介してコンテンツサーバ３０に送信する。コンテンツサーバ３０は、ガイダンス端末識別情報ＩＤＧ及びスポット識別情報ＩＤＳを受信すると、受信したスポット識別情報ＩＤＳに対応するガイダンス情報ＧＶを、受信したガイダンス端末識別情報ＩＤＧに対応するガイダンス端末１０に、ネットワークＮ及び配信端末２０を介して送信する。ガイダンス端末１０は、コンテンツサーバ３０からガイダンス情報ＧＶを受信すると、ガイダンス情報ＧＶを発音して観光者に聴取させる。
【００３５】
また、ガイダンス端末１０は、配信端末２０の検知範囲内において観光者の発言や周囲の音を音声情報ＲＶとして記録すると、その音声情報ＲＶに自らのガイダンス端末識別情報ＩＤＧを付して配信端末２０に送信する。次いで、配信端末２０は、受信したガイダンス端末識別情報ＩＤＧ及び音声情報ＲＶに、自らが設置されている観光スポットのスポット識別情報ＩＤＳを付して、ネットワークＮを介してコンテンツサーバ３０に送信する。コンテンツサーバ３０は、音声情報ＲＶ、ガイダンス端末識別情報ＩＤＧ及びスポット識別情報ＩＤＳを受信すると、その受信日時とともに音声情報ＲＶをガイダンス端末識別情報ＩＤＧ及びスポット識別情報ＩＤＳと紐付けて蓄積する。
【００３６】
一方、ユーザ端末５０は、ユーザが追体験サービス専用サイトにおいてコンテンツサーバ３０にアクセスする際に必要なユーザ認証のためにユーザ識別情報ＩＤＵ及びパスワードを入力すると、ユーザ識別情報ＩＤＵ及びユーザ端末識別情報ＩＤＰをコンテンツサーバ３０に送信し、ユーザ認証の要求を行う。これに対して、コンテンツサーバ３０は、ユーザ認証処理を完了すると図２に示すメニュー画面１００をユーザ端末５０の表示部に表示させるべく、メニュー画面１００を表示するためのメニュー画面データをユーザ端末５０に送信する。ユーザ端末５０は、メニュー画面データを受信するとメニュー画面１００を表示する。
【００３７】
図２に示すメニュー画面１００は、「（ｉ）追体験」ボタン１０１、追体験用ＩＤ入力領域１０５、「（ii）コメント書き込み」ボタン１０２、書込用ＩＤ入力領域１０６、「（iii）コメント閲覧」ボタン１０３及び「終了」ボタン１０４を含む。ユーザは、ユーザ端末５０の操作部より、追体験したい観光体験をしたユーザのユーザ識別情報ＩＤＵ（ユーザＩＤ）を追体験用ＩＤ入力領域１０５に入力した後に「（ｉ）追体験」ボタン１０１をクリックすることで、「（ｉ）追体験」サービスにより、観光体験を追体験することができる。例えば、ユーザが自分の観光体験を追体験する場合には、自分のユーザ識別情報ＩＤＵを追体験用ＩＤ入力領域１０５に入力して「（ｉ）追体験」ボタン１０１をクリックする。なお、自分の観光体験を追体験するケースが沢山あると想定される場合には、ユーザ認証の際に入力されたユーザ識別情報ＩＤＵを予め追体験用ＩＤ入力領域１０５にセットしておく構成としてもよい。
【００３８】
また、ユーザは、ユーザ端末５０の操作部より、コメントを書き込みたい観光スポットを観光したユーザのユーザ識別情報ＩＤＵ（ユーザＩＤ）を書込用ＩＤ入力領域１０６に入力した後に「（ii）コメント書き込み」ボタン１０２をクリックすることで、「（ii）コメント書き込み」サービスにより、観光スポットについてコメントを書き込むことができる。例えば、ユーザが自分の観光した観光スポットについてコメントを書き込む場合には、自分のユーザ識別情報ＩＤＵを書込用ＩＤ入力領域１０６に入力して「（ii）コメント書き込み」ボタン１０２をクリックする。なお、自分の観光した観光スポットにコメントを書き込みケースが沢山あると想定される場合には、ユーザ認証の際に入力されたユーザ識別情報ＩＤＵを予め書込用ＩＤ入力領域１０６にセットしておく構成としてもよい。
【００３９】
さらに、ユーザは、ユーザ端末５０の操作部より、「（iii）コメント閲覧」ボタン１０３をクリックすることで、「（iii）コメント閲覧」サービスにより、各ユーザの観光スポットについてのコメントを閲覧することができ、また、閲覧したコメントに対してコメントを書き込むこともできる。さらにまた、ユーザは、ユーザ端末５０の操作部より、「終了」ボタン１０４をクリックすることで、追体験サービス専用サイトとの接続を切断することができる。
【００４０】
ユーザ端末５０は、メニュー画面１００において「（ｉ）追体験」ボタン１０１がクリックされると、「（ｉ）追体験」が選択された事を示す識別信号と、追体験用ＩＤ入力領域１０５に入力されたユーザ識別情報ＩＤＵをコンテンツサーバ３０に送信する。これに対してコンテンツサーバ３０は、ユーザ識別情報ＩＤＵに対応する追体験エリア選択画面１１０（図３参照）を表示するための追体験エリア選択画面データをユーザ端末５０に送信する。ユーザ端末５０は、受信した追体験エリア選択画面データに基づいて、追体験エリア選択画面１１０を表示する。
【００４１】
図３に示す追体験エリア選択画面１１０では、観光エリア名表示領域１１１ａ〜１１１ｄに、ユーザ識別情報ＩＤＵに対応するユーザの訪れた観光エリア名が、訪れた日時順に表示される。ユーザは、ユーザ端末５０の操作部より、「前へ」ボタン１１２又は「次へ」ボタン１１３をクリックすることで、その時点で表示されている観光エリアより前又は後に訪れた観光エリア名を表示させることができる。また、ユーザは、ユーザ端末５０の操作部より、観光エリア名が表示されている観光エリア名表示領域１１１をクリックすることで、当該観光エリアを追体験するエリアとして選択することができる。さらに、ユーザは、ユーザ端末５０の操作部より、「メニューへ」ボタン１１４をクリックすることで、図２に示すメニュー画面１００に戻ることができる。
【００４２】
ユーザ端末５０は、追体験エリア選択画面１１０において、何れかの観光エリアが選択されると、選択された観光エリアに対応する追体験実行画面１２０（図４参照）を表示して、音声情報ＲＶを出力するための追体験実行画面データの配信要求信号をコンテンツサーバ３０に送信する。これに対してコンテンツサーバ３０は、ユーザ識別情報ＩＤＵによって紐付けられているガイダンス端末識別情報ＩＤＧと、選択された観光エリアに含まれる観光スポットのスポット識別情報ＩＤＳとに基づいて、追体験実行画面データをユーザ端末５０に送信する。ユーザ端末５０は、受信した追体験実行画面データに基づいて、追体験実行画面１２０を表示する。
【００４３】
図４に示す追体験実行画面１２０は、訪問観光スポット表示領域１２１、観光スポット情報表示領域１２２、音声再生コントロール部１２３、追体験スポット指示矢印１２４、「メニューへ」ボタン１２５を含む。訪問観光スポット表示領域１２１は、ユーザが追体験エリア選択画面１１０（図３参照）で選択した観光エリア内の観光スポットであって、観光者が実際に訪れた観光スポットを訪れた時刻とともに、訪れた順序で表示する。観光スポット情報表示領域１２２は、追体験スポット指示矢印１２４が指し示している観光スポットに関連する画像や文章を表示する。また、ユーザ端末５０のスピーカ５６（図１４参照）は、追体験スポット指示矢印１２４が指し示している観光スポットにおいて、観光者がガイダンス端末１０により記録した音声情報ＲＶに基づく音声を出力する。このときユーザは、ユーザ端末５０の操作部より、音声再生コントロール部１２３を介して音声情報ＲＶの再生を制御（再生、一時停止、停止、早送り、巻き戻し等）することができる。追体験スポット指示矢印１２４は、訪問観光スポット表示領域１２１に表示されている各観光スポットをユーザが実際に訪れた順序に従って、順に指し示していく。具体的には、追体験スポット指示矢印１２４は、一の観光スポットについて、３次元画像の表示及び音声情報ＲＶの再生が終了すると、当該一の観光スポットの次に訪れた観光スポットを指し示す。また、ユーザはユーザ端末５０の操作部より、「メニューへ」ボタン１２５をクリックすることで、図２に示すメニュー画面１００に戻ることができる。
【００４４】
なお、観光スポット情報表示領域１２２は、３次元画像を表示する時には、ユーザが実際に観光スポットを訪れた際、表示対象物（建物、史跡、絵画など）を目にしたときの目線や距離を想定して３次元画像を表示する。例えば、目線は床・地面から高さ１．５ｍ、距離は小さな絵画であれば１ｍ、大きな絵画であれば３ｍを想定する。すなわち、観光スポット情報表示領域１２２には、ユーザがビデオカメラで撮影したとすれば、得られたであろう画像が再生される。また、ユーザが任意に３次元画像の視点を変更可能な構成とすることとしてもよい。
【００４５】
一方、ユーザ端末５０は、メニュー画面１００において、「（ii）コメント書き込み」ボタン１０２がクリックされると、「（ii）コメント書き込み」が選択された事を示す識別信号と、書込用ＩＤ入力領域１０６に入力されたユーザ識別情報ＩＤＵをコンテンツサーバ３０に送信する。これに対してコンテンツサーバ３０は、ユーザ識別情報ＩＤＵに対応するコメント書込エリア選択画面１３０（図５参照）及びコメント書込画面１４０（図６参照）を表示するためのコメント書込画面データをユーザ端末５０に送信する。ユーザ端末５０は、受信したコメント書込画面データに基づいて、まず、図５に示すコメント書込エリア選択画面１３０を表示する。
【００４６】
図５に示すコメント書込エリア選択画面１３０では、観光エリア名表示領域１３１ａ〜１３１ｄに、書込用ＩＤ入力領域１０６に入力されたユーザ識別情報ＩＤＵに対応するユーザが訪れた観光エリア名が、訪れた日時順に表示される。ユーザは、ユーザ端末５０の操作部より、「前へ」ボタン１３２又は「次へ」ボタン１３３をクリックすることで、その時点で表示されている観光エリアより前又は後に訪れた観光エリア名を表示させることができる。また、ユーザは、ユーザ端末５０の操作部より、観光エリア名が表示されている観光エリア名表示領域１３１をクリックすることで、この観光エリアを、コメントを書き込む対象である観光スポットを含むエリアとして選択することができる。さらに、ユーザはユーザ端末５０の操作部より、「メニューへ」ボタン１３４をクリックすることで、図２に示すメニュー画面１００に戻ることができる。
【００４７】
ユーザ端末５０は、図５に示すコメント書込エリア選択画面１３０より、何れかの観光エリアが選択されると、コメント書込画面データに基づいて、選択された観光エリアに対応するコメント書込画面１４０（図６参照）を表示する。
【００４８】
図６に示すコメント書込画面１４０は、訪問観光スポット表示領域１４１、コメント書込領域１４２、コメント書込スポット指示矢印１４３を含む。訪問観光スポット表示領域１４１は、ユーザがコメント書込エリア選択画面１３０で選択した観光エリア内の観光スポットであって、観光者が実際に訪れた観光スポットを訪れた時刻とともに、訪れた順序で表示する。コメント書込領域１４２は、コメント書込スポット指示矢印１４３が指し示している観光スポットについて、ユーザがコメントを書き込むための領域である。コメント書込スポット指示矢印１４３は、ユーザによるユーザ端末５０の操作部を介した操作により何れかの観光スポットを指し示す。すなわち、ユーザが、観光者の訪れた観光スポットについてコメントを書き込む場合には、まず、コメントを書き込む対象である観光スポットをコメント書込スポット指示矢印１４３により指定し、次いで、コメント書込領域１４２にコメントを書き込み、「コメント確定」ボタン１４４をクリックすることでコメントの書き込みを完了する。また、ユーザは、ユーザ端末５０の操作部より、「メニューへ」ボタン１４５をクリックすることで、図２に示すメニュー画面１００に戻ることができる。
【００４９】
ユーザ端末５０は、「コメント確定」ボタン１４４がクリックされると、コメント書込領域１４２に書き込まれたコメントに相当するコメント情報ＣＭを、コメントの対象となった観光スポットのスポット識別情報ＩＤＳと、コメントを書き込んだユーザのユーザ識別情報ＩＤＵとを紐付けてコンテンツサーバ３０に送信する。コンテンツサーバ３０は、これを受信すると、コメント情報ＣＭをユーザ識別情報ＩＤＵ及びスポット識別情報ＩＤＳと紐付けて蓄積する。
【００５０】
他方、ユーザ端末５０は、メニュー画面１００において、「（iii）コメント閲覧」ボタン１０３がクリックされると、「（iii）コメント閲覧」が選択された事を示す識別信号をコンテンツサーバ３０に送信する。これに対してコンテンツサーバ３０は、図７に示すコメント閲覧エリア選択画面１５０を表示するためのコメント閲覧エリア選択画面データをユーザ端末５０に送信する。ユーザ端末５０は、受信したコメント閲覧エリア選択画面データに基づいて、コメント閲覧エリア選択画面１５０を表示する。
【００５１】
図７に示すコメント閲覧エリア選択画面１５０は、国名選択コンボボックス１５１、エリア選択コンボボックス１５３、「エリア決定」ボタン１５５、「メニューへ」ボタン１５６が含まれる。ユーザは、他ユーザが観光スポットについて書き込んだコメントを閲覧する場合、まず、その観光スポットを含む観光エリアが存在する国名を国名選択コンボボックス１５１の中から選択し、次いで、観光スポットを含む観光エリア名をエリア名選択コンボボックス１５３の中から選択する。ユーザは国名及びエリア名を選択した後、「エリア決定」ボタン１５５をクリックすることで、エリアを選択することができる。また、ユーザは、ユーザ端末５０の操作部より、「メニューへ」ボタン１５６をクリックすることで、図２に示すメニュー画面１００に戻ることができる。
【００５２】
なお、国名選択コンボボックス１５１は、ドロップダウンボタン１５２がクリックされると、コメントの書き込みがあった観光スポットを含む観光エリアが存在する国名のみからなるドロップダウンリスト（図示しない）を表示し、その中から何れかの国名を選択させる構成となっている。同様に、エリア名選択コンボボックス１５３は、ドロップダウンボタン１５４がクリックされると、国名選択コンボボックス１５１で選択された国の観光スポットであってコメントの書き込みがあった観光スポットを含む観光エリアのみからなるドロップダウンリスト（図示しない）を表示し、その中から何れかのエリア名を選択させる構成となっている。
【００５３】
ユーザ端末５０は、図７に示すコメント閲覧エリア選択画面１５０において、何れかの観光エリアが選択されると、選択された観光エリアに対応する第１コメント閲覧画面１６０（図８参照）及び第２コメント閲覧画面１７０（図９参照）を表示するためのコメント閲覧画面データの配信要求信号（選択された観光エリアに対応するエリアＩＤを含む）をコンテンツサーバ３０に送信する。これに対してコンテンツサーバ３０は、選択された観光エリアに含まれる観光スポットのスポット識別情報ＩＤＳに基づいて、コメント閲覧画面データをユーザ端末５０に送信する。ユーザ端末５０は、受信したコメント閲覧画面データに基づいて、まず図８に示す第１コメント閲覧画面１６０を表示する。
【００５４】
図８に示す第１コメント閲覧画面１６０は、観光スポット名表示領域１６１ａ〜１６１ｅ、ユーザＩＤ表示領域１６２ａ〜１６２ｅ、コメント表示領域１６３ａ〜１６３ｅ、「エリア選択へ」ボタン１６６、「メニューへ」ボタン１６７を含む。観光スポット名表示領域１６１には、コメントの対象となる観光スポット名が表示され、ユーザＩＤ表示領域１６２には、当該コメントを記載したユーザＩＤが表示される。コメント表示領域１６３にはコメントの全文、全文が長い場合にはその一部が表示される。ユーザは、ユーザ端末５０の操作部より、「前へ」ボタン１６４又は「次へ」ボタン１６５をクリックすることで、その時点で表示されているコメント以外のコメントを表示させることができる。また、ユーザは、ユーザ端末５０の操作部より、何れかのコメント表示領域１６３をクリックすることで、画面を図９に示す第２コメント閲覧画面１７０に遷移させ、当該コメントの全文を閲覧することができるとともに、そのコメントに対するコメントを書き込むことができる。さらに、ユーザは、第１コメント閲覧画面１６０において、「エリア選択へ」ボタン１６６をクリックすることで、図７に示すコメント閲覧エリア選択画面１５０に戻ることができ、「メニューへ」ボタン１６７をクリックすることで、図２に示すメニュー画面１００に戻ることができる。
【００５５】
また、ユーザ端末５０は、図８に示すコメント閲覧画面１６０において、何れかのコメント表示領域１６３がクリックされると、クリックされたコメント表示領域１６３に対応する第２コメント閲覧画面１７０（図９参照）を表示する。図９に示すように第２コメント閲覧画面１７０は、コメント全文表示領域１７１、コメント書込領域１７２、「コメント確定」ボタン１７３、「戻る」ボタン１７４、「エリア選択へ」ボタン１７５、「メニューへ」ボタン１７６を含む。コメント全文表示領域１７１は、図８に示すコメント閲覧画面１６０においてクリックされたコメント表示領域１６３に表示されていたコメントの全文を表示する。コメント書込領域１７２は、コメント全文表示領域１７１に表示されているコメント（「基本コメント」という）に対するコメント（「追加コメント」という）を書き込むための領域である。ユーザはコメント書込領域１７２に追加コメントを書き込み、「コメント確定」ボタン１７３をクリックすることで追加コメントの書き込みを完了することができる。また、ユーザは、ユーザ端末５０の操作部より、「戻る」ボタン１７４をクリックすることで、図８に示す第１コメント閲覧画面１６０に戻ることができ、「エリア選択へ」ボタン１７５をクリックすることで、図７に示すコメント閲覧エリア選択画面１５０に戻ることができ、「メニューへ」ボタン１７６をクリックすることで、図２に示すメニュー画面１００に戻ることができる。
【００５６】
ユーザ端末５０は、第２コメント閲覧画面１７０において、「コメント確定」ボタン１７３がクリックされると、コメント書込領域１７２に書き込まれた追加コメントに相当するコメント情報ＣＭを、追加コメントを書き込んだユーザのユーザ識別情報ＩＤＵと、基本コメントを書き込んだユーザのユーザ識別情報ＩＤＵと、基本コメントの対象となった観光スポットのスポット識別情報ＩＤＳとを紐付けてコンテンツサーバ３０に送信する。コンテンツサーバ３０は、これを受信すると、コメント情報ＣＭを、追加コメントを書いたユーザのユーザ識別情報ＩＤＵ、基本コメントを書いたユーザのユーザ識別情報ＩＤＵ及びスポット識別情報ＩＤＳと紐付けて蓄積する。
【００５７】
次に、図１０を用いてガイダンス端末１０について説明する。なお、図１０はガイダンス端末１０の細部構成を示すブロック図である。
【００５８】
図１０に示すように、ガイダンス端末１０は、制御部１１と、不揮発性領域及び揮発性領域の双方を備える記憶部１２と、アンテナ１３に接続された無線通信部１４と、スピーカ１５に接続された音声デコーダ１６と、マイクロフォン１７に接続された音声エンコーダ１８とを備え、それぞれがバス１９を介して相互にデータの授受が可能に構成されている。なお、ガイダンス端末１０は、観光者に貸し出される際にユーザ識別情報ＩＤＵとガイダンス端末識別情報ＩＤＧを紐付けるためのユーザ登録が行われ、何れの観光者が携帯しているかが判別可能となっている。
【００５９】
制御部１１は、バス１９を介して接続されている記憶部１２、無線通信部１４、音声デコーダ１６、音声エンコーダ１８を制御するための制御信号を適宜生成する。記憶部１２、無線通信部１４、音声デコーダ１６、音声エンコーダ１８は、制御部１１の制御下で動作する。
【００６０】
無線通信部１４は、配信端末２０に対してガイダンス端末識別情報ＩＤＧの送信が可能な装置（例えば、ガイダンス端末識別情報ＩＤＧを記憶したＲＦＩＤ（Radio Frequency IDentification）タグ等）と、配信端末２０との間で大容量のデータを送受信可能な装置（例えば、Ｂｌｕｅｔｏｏｔｈ（登録商標）又は無線ＬＡＮインターフェース等）とにより構成されている。無線通信部１４は、ガイダンス端末１０が配信端末２０の検知範囲内に入ったことを検知すると、ガイダンス端末識別情報ＩＤＧを配信端末２０に送信するための送信処理を行う。また、無線通信部１４は、コンテンツサーバ３０が配信端末２０を介して送信するガイダンス情報ＧＶを受信するための受信処理を行う。更に、無線通信部１４は、後述するように、配信端末２０の検知範囲内で音声エンコーダ１８によりエンコードされ、記憶部１２に記憶された音声情報ＲＶを、ガイダンス端末識別情報ＩＤＧと紐付けて配信端末２０に送信するための送信処理を行う。
【００６１】
音声デコーダ１６は、配信端末２０から受信したガイダンス情報ＧＶを、バス１９を介して受け取り、これに対して復号処理及び音声化処理を施してスピーカ１５（又は利用者が装着した図示しないイヤホン）を介して発音させる処理を行う。
【００６２】
音声エンコーダ１８は、マイクロフォン１７から入力された音声に対して符号化処理等を施して音声情報ＲＶとして記憶部１２に記憶させる。ユーザは、自分の訪れている観光スポットについての感想や観光スポット付近の音を録音する場合には、ガイダンス端末１０に設けられいる録音開始／終了ボタン（図示しない）を介して録音を行う。
【００６３】
記憶部１２は、無線通信部１４が受信したガイダンス情報ＧＶ、音声エンコーダ１８がエンコードした音声情報ＲＶ、制御部１１の動作を規定したプログラム等を記憶する。
【００６４】
なお、音声エンコーダ１８及び記憶部１２は、本発明の記録手段の一例である。また、制御部１１及び無線通信部１４は、本発明の携帯端末送信手段の一例である。
【００６５】
次に、図１１を用いて配信端末２０について説明する。なお、図１１は配信端末２０の細部構成を示すブロック図である。
【００６６】
図１１に示すように、配信端末２０は、制御部２１と、不揮発性領域及び揮発性領域の双方を備える記憶部２２と、アンテナ２３に接続された無線通信部２４と、コンテンツサーバ３０に接続されたサーバ通信部２５とを備え、それぞれがバス２９を介して相互にデータの授受が可能に構成されている。
【００６７】
制御部２１は、配信端末２０を制御するために、バス２９を介して接続されている記憶部２２、無線通信部２４、サーバ通信部２５を制御するための制御信号を適宜生成する。記憶部２２、無線通信部２４、サーバ通信部２５は、制御部２１の制御下で動作する。
【００６８】
無線通信部２４は、ガイダンス端末１０のガイダンス端末識別情報ＩＤＧを受信可能な装置（例えば、ＲＦＩＤタグ用リーダ・ライタ等）と、ガイダンス端末１０との間で大容量のデータを送受信可能な装置（例えば、Ｂｌｕｅｔｏｏｔｈ（登録商標）又は無線ＬＡＮインターフェース等）とにより構成される。
【００６９】
無線通信部２４は、ガイダンス端末１０の無線通信部１４からガイダンス端末識別情報ＩＤＧを受信するための受信処理を行う。なお、無線通信部２４は、無線通信部１４と通信した際の電波強度を記憶部２２に記憶させる。また、無線通信部２４は、ガイダンス端末１０からガイダンス端末識別情報ＩＤＧ及び音声情報ＲＶを受信するため受信処理を行う。更に、無線通信部２４は、コンテンツサーバ３０から受信したガイダンス情報ＧＶをガイダンス端末１０に送信するための送信処理を行う。
【００７０】
サーバ通信部２５は、コンテンツサーバ３０との間で大容量のデータを送受信可能な装置（例えば、ＬＡＮインターフェース等）により構成されている。サーバ通信部２５は、無線通信部２４が受信したガイダンス端末識別情報ＩＤＧと記憶部２２に記憶させた電波強度にスポット識別情報ＩＤＳを紐付けてコンテンツサーバ３０に送信するための送信処理を行う。また、無線通信部２４が受信したガイダンス端末識別情報ＩＤＧ及び音声情報ＲＶにスポット識別情報ＩＤＳを紐付けてコンテンツサーバ３０に送信するための送信処理を行う。更に、サーバ通信部２５は、コンテンツサーバ３０からガイダンス情報ＧＶを受信するため受信処理を行う。
【００７１】
記憶部２２は、無線通信部２４が受信したガイダンス端末識別情報ＩＤＧや音声情報ＲＶ、無線通信部２４が記憶させた電波強度、サーバ通信部２５が受信したガイダンス情報ＧＶ、スポット識別情報ＩＤＳ、配信端末２０が設置されている観光スポットのスポット識別情報ＩＤＳ、制御部２１の動作を規定したプログラム等を記憶する。
【００７２】
なお、制御部２１及び無線通信部２４は、本発明の設置端末受信手段及び送信装置送信手段の一例である。
【００７３】
次に、図１２、図１３を用いてコンテンツサーバ３０及びＤＢ４０について説明する。なお、図１２はコンテンツサーバ３０の細部構成を示すブロック図であり、図１３はＤＢ４０の構成を示すブロック図である。
【００７４】
図１２に示すように、コンテンツサーバ３０は、制御部３１と、不揮発性領域及び揮発性領域の双方を備える記憶部３２と、端末通信部３３と、図示しないキーボード及びマウス等からなる操作部３４と、液晶ディスプレイ等からなる表示部３５と、ユーザ位置算出部３６と、ＤＢ４０とを備えている。また、制御部３１、記憶部３２、端末通信部３３、操作部３４、表示部３５、ユーザ位置算出部３６、ＤＢ４０は、それぞれがバス３９を介して一方向又は双方向でデータの送受信が可能に構成されている。
【００７５】
制御部３１は、コンテンツサーバ３０を制御するために、バス３９を介して接続されている記憶部３２、端末通信部３３、表示部３５、ユーザ位置算出部３６、ＤＢ４０を制御するための制御信号を適宜生成する。記憶部３２、端末通信部３３、表示部３５、ユーザ位置算出部３６、ＤＢ４０は、制御部３１の制御下で動作する。
【００７６】
端末通信部３３は、配信端末２０又はユーザ端末５０との間で大容量のデータを送受信可能な装置（例えば、ＬＡＮインターフェース等）により構成されている。端末通信部３３は、配信端末２０からガイダンス端末識別情報ＩＤＧ、スポット識別情報ＩＤＳ及び電波強度を受信するための受信処理を行う。また、端末通信部３３は、配信端末２０からガイダンス端末識別情報ＩＤＧ、音声情報ＲＶ及びスポット識別情報ＩＤＳを受信するための受信処理を行う。また、端末通信部３３は、ガイダンス情報ＧＶを配信端末２０に送信するための送信処理を行う。
【００７７】
また、端末通信部３３は、ユーザ識別情報ＩＤＵ、ユーザ端末識別情報ＩＤＰ、コメント情報ＣＭ、スポット識別情報ＩＤＳ、「（ｉ）追体験」が選択された事を示す識別信号、「（ii）コメント書き込み」が選択された事を示す識別信号、「（iii）コメント閲覧」が選択された事を示す識別信号、追体験実行画面データの配信要求信号、コメント閲覧画面データの配信要求信号等を、ユーザ端末５０から受信するための受信処理を行う。また、端末通信部３３は、メニュー画面データ、追体験エリア選択画面データ、追体験実行画面データ、コメント書込画面データ、コメント閲覧エリア選択画面データ、コメント閲覧画面データ等をユーザ端末５０に送信する送信処理を行う。
【００７８】
ユーザ位置算出部３６は、端末通信部３３が配信端末２０から受信した電波強度に基づいて、配信端末２０とガイダンス端末１０の距離を算出する。例えば、一つのガイダンス端末１０が複数の配信端末２０の検知範囲内に入った場合、これら複数の配信端末２０からガイダンス端末識別情報ＩＤＧ、スポット識別情報ＩＤＳ及び電波強度が送信される。この場合、コンテンツサーバ３０は、何れのスポット識別情報ＩＤＳに対応するガイダンス情報ＧＶをガイダンス端末１０に送信するかを決定する必要がある。そこで、コンテンツサーバ３０は、ユーザ位置算出部３６が電波強度に基づいて算出した距離の中で最も短い距離に対応する電波強度を送信した配信端末２０（すなわち、ガイダンス端末１０に最も近い配信端末２０）を優先し、当該配信端末２０に対応するガイダンス情報ＧＶを送信する。このために、ユーザ位置算出部３６は、配信端末２０とガイダンス端末１０の距離を算出する。
【００７９】
ＤＢ４０は、図１３に示すように、ユーザマスタファイル３１０、エリアマスタファイル３２０、スポットマスタファイル３３０、ガイダンスマスタファイル３４０、追体験コンテンツマスタファイル３５０、端末ワークデータファイル３６０、追体験ワークデータファイル３７０、コメントワークデータファイル３８０を含む。また、ＤＢ４０は、コンテンツサーバ３０からユーザ端末５０に送信する各画面データの元となる画面元データを含む。
【００８０】
ユーザマスタファイル３１０は、ユーザＩＤとユーザ名を紐付けたユーザマスタレコードから構成される。エリアマスタファイル３２０は、エリアＩＤとエリア名を紐付けたエリアマスタレコードから構成される。スポットマスタファイル３３０は、エリアＩＤとスポットＩＤとスポット名を紐付けたスポットマスタレコードから構成される。ガイダンスマスタファイル３４０は、ガイダンスＩＤとガイダンス情報ＧＶとスポットＩＤとエリアＩＤを紐付けたガイダンスマスタレコードから構成される。追体験コンテンツマスタファイル３５０は、追体験コンテンツＩＤとコンテンツ情報（観光スポットに関する画像、文字情報等）とスポットＩＤを紐付けた追体験コンテンツマスタレコードから構成される。端末ワークデータファイル３６０は、ガイダンス端末ＩＤとユーザＩＤと携帯期間情報を紐付けた端末ワークデータレコードから構成される。なお、端末ワークデータレコードは何れのガイダンス端末１０が何れの観光者（ユーザ）に何れの期間、携帯されていたかを示すレコードである。追体験ワークデータファイル３７０は、ユーザＩＤとガイダンス端末ＩＤとスポットＩＤと日時情報と音声情報ＲＶを紐付けた追体験ワークデータレコードから構成される。コメントワークデータファイル３８０は、ユーザＩＤとスポットＩＤとコメント書き込みユーザＩＤとコメント情報と追加コメント書き込みユーザＩＤと追加コメント情報を紐付けたコメントワークデータレコードから構成される。
【００８１】
制御部３１は、ガイダンス端末識別情報ＩＤＧ及びスポット識別情報ＩＤＳを配信端末２０から受信すると、追体験ワークデータレコードを作成するとともに、ＤＢ４０のガイダンスマスタファイル３４０から受信したスポット識別情報ＩＤＳに対応するガイダンス情報ＧＶを取得し、配信端末２０を介して、ガイダンス端末１０に送信する。
【００８２】
また、制御部３１は、配信端末２０から送信されたガイダンス端末識別情報ＩＤＧ、スポット識別情報ＩＤＳ、音声情報ＲＶに基づいて、追体験ワークデータレコードを作成し、ＤＢ４０の体験ワークデータファイルに蓄積させる。このとき、制御部３１は、観光者が各観光スポットを観光した観光順序を判別可能とするために、追体験ワークデータレコードの日時情報に、ガイダンス端末ＩＤと、スポットＩＤと、音声情報ＲＶ又は後述する音声情報無しフラグを受信した日時をセットする。
【００８３】
一方、制御部３１は、図２〜図９に示す各画面を表示するための各画面データをユーザ端末５０に送信する場合には、画面元データ（各画面のボタン等を表示するための画像データなど）、追体験コンテンツマスタレコード、追体験ワークデータレコード、コメントワークデータレコード及び各マスタファイルや各ワークデータファイルにおける必要なレコードに基づいて各画面データを生成して送信する。
【００８４】
また、制御部３１は、ユーザ端末５０からコメント情報ＣＭ（追加コメント情報ＣＭを含む）を受信した場合には、追体験ワークデータファイルのレコードを作成し、追体験ワークデータファイルに蓄積させる。
【００８５】
記憶部３２は、端末通信部３３が受信した各種信号や情報、制御部３１の動作を規定したプログラム等を記憶する。
【００８６】
なお、制御部３１及び端末通信部３３は、本発明の登録装置第１受信手段、登録装置第２受信手段、登録装置送信手段、コメント受信手段及び追加コメント受信手段の一例である。また、制御部３１及びＤＢ４０は、本発明の音データ蓄積手段及びコメント蓄積手段の一例である。また、ＤＢ４０は、本発明の観光情報蓄積手段の一例である。
【００８７】
次に、図１４を用いてユーザ端末５０について説明する。なお、図１４はユーザ端末５０の細部構成を示すブロック図である。
【００８８】
図１４に示すように、ユーザ端末５０は、制御部５１と、不揮発性領域及び揮発性領域の双方を備える記憶部５２と、コンテンツサーバ３０に接続されたサーバ通信部５３と、図示しないキーボード及びマウス等からなる操作部５４と、液晶ディスプレイ等からなる表示部５５と、スピーカ５６に接続された音声デコーダ５７とを備えている。また、制御部５１、記憶部５２、サーバ通信部５３、操作部５４、表示部５５、音声デコーダ５７は、それぞれがバス５９を介して一方向又は双方向でデータの送受信が可能に構成されている。
【００８９】
制御部５１は、ユーザ端末５０を制御するために、バス５９を介して接続されている記憶部５２、サーバ通信部５３、表示部５５、音声デコーダ５７を制御するための制御信号を適宜生成する。記憶部５２、サーバ通信部５３、表示部５５、音声デコーダ５７は、制御部５１の制御下で動作する。
【００９０】
サーバ通信部５３は、コンテンツサーバ３０との間で大容量のデータを送受信可能な装置（例えば、ＬＡＮインターフェース等）により構成されている。サーバ通信部５３は、ユーザ識別情報ＩＤＵ、ユーザ端末識別情報ＩＤＰ、コメント情報ＣＭ、スポット識別情報ＩＤＳ、「（ｉ）追体験」が選択された事を示す識別信号、「（ii）コメント書き込み」が選択された事を示す識別信号、「（iii）コメント閲覧」が選択された事を示す識別信号、追体験実行画面データの配信要求信号、コメント閲覧画面データの配信要求信号を、コンテンツサーバ３０に送信するための送信処理を行う。
【００９１】
また、サーバ通信部５３は、メニュー画面データ、追体験エリア選択画面データ、追体験実行画面データ、コメント書込画面データ、コメント閲覧エリア選択画面データ、コメント閲覧画面データをコンテンツサーバ３０から受信する受信処理を行う。
【００９２】
操作部５４は、図２〜図９に示す各画面において、図示しないマウスによる各ボタンに対するクリック操作や、図示しないキーボードによるコメント書き込み操作等を検出する。表示部５５は、図２〜図９に示す各画面等を表示する。
【００９３】
音声デコーダ５７は、コンテンツサーバ３０から受信した音声情報ＲＶを、バス１９を介して受け取り、これに対して復号処理及び音声化処理を施してスピーカ５６（又は利用者が装着した図示しないイヤホン）を介して発音させる処理を行う。
【００９４】
記憶部５２は、サーバ通信部５３が受信した各種信号や情報、制御部５１の動作を規定したプログラム等を記憶する。
【００９５】
なお、操作部５４は、本発明の入力手段、コメント入力手段及び追加コメント入力手段の一例である。また、サーバ通信部５３は、本発明の出力装置送信手段、出力装置受信手段、コメント送信手段及び追加コメント送信手段の一例である。また、制御部５１は、本発明の出力制御手段、コメント表示手段の一例である。また、音声デコーダ５７は、本発明の出力手段の一例である。また、表示部５５は、本発明の出力手段及びコメント表示手段の一例である。
【００９６】
次に、第１実施形態に係るガイダンス端末１０、配信端末２０、コンテンツサーバ３０及びユーザ端末５０夫々の動作について、図１に示す追体験システムＳにおける場合を例として、図１５〜図１９に示すフローチャートを用いて説明する。なお、図１５は、観光者（ユーザ）が観光スポットを訪れた際のガイダンス端末１０、配信端末２０及びコンテンツサーバ３０の動作を夫々に示すフローチャートである。なお、図１６は、ユーザが「（ｉ）追体験」サービス、「（ii）コメント書き込み」サービス及び「（iii）コメント閲覧」サービスから構成される追体験サービスを利用する際のユーザ端末５０及びコンテンツサーバ３０の動作を夫々に示すフローチャートである。図１７は、ユーザが「（ｉ）追体験」サービスを利用する際のユーザ端末５０及びコンテンツサーバ３０の動作を夫々に示すフローチャートである。図１８は、ユーザが「（ii）コメント書き込み」サービスを利用する際のユーザ端末５０及びコンテンツサーバ３０の動作を夫々に示すフローチャートである。図１９は、ユーザが「（iii）コメント閲覧」を利用する際のユーザ端末５０及びコンテンツサーバ３０の動作を夫々に示すフローチャートである。
【００９７】
図１５左寄りに示すように、ガイダンス端末１０の制御部１１は、その電源スイッチがオンとされると（ステップＳ１０）、次いで、配信端末２０の検知範囲内に入ったか（すなわち、配信端末２０と通信可能状態となったか）を判別する（ステップＳ１１）。具体的には、無線通信部１５よりガイダンス端末ＩＤを所定の間隔で継続して配信端末２０に送信し続け、これに対する応答があったか否かにより、配信端末２０の検知範囲内に入ったか（すなわち、配信端末２０と通信可能状態となったか）を判別しており、ステップＳ１１及びステップＳ１２の処理が同時に行われる。
【００９８】
制御部１１は、配信端末２０の検知範囲内に入ったか否かの判別（ステップＳ１１）及び、ガイダンス端末ＩＤの送信（ステップＳ１２）が完了すると、その後、配信端末２０からガイダンス情報ＧＶが送信されて来たか否かを監視する（ステップＳ１３）。このとき、制御部１１は、未だガイダンス情報ＧＶが送信されて来ていないときは（ステップＳ１３；ＮＯ）そのまま監視動作を継続し、一方、ガイダンス情報ＧＶが送信されて来た場合には（ステップＳ１３；ＹＥＳ）、音声デコーダ１６を制御することにより、当該受信した当該ガイダンス情報ＧＶの内容を音声として再生し（ステップＳ１４）、それを携帯する利用者に聴取させる。
【００９９】
なお、ガイダンス情報ＧＶ及び音声デコーダ１６については、ガイダンス情報ＧＶ自体を文字情報（テキスト情報）としてこれを音声デコーダ１６において音声化する構成とすることもできるし、またガイダンス情報ＧＶ自体を音声情報とし、これを音声データ１６においてそのまま復号して発音するように構成することもできる。この構成において前者の場合は、各端末間で授受されるガイダンス情報ＧＶとしてのデータ量を最小限とすることができるので、伝送の高速化及びＤＢ４０の記憶容量を最小化することができる。また後者の場合は、受信した音声情報としてのガイダンス情報ＧＶをそのまま復号すれば済むため、音声デコーダ１６としての構成を簡潔にしてガイダンス端末１０としての処理負荷の軽減及び小型化／軽量化、消費電力の極小化を実現できることとなる。
【０１００】
その後、制御部１１は、ユーザによる録音開始／終了ボタン（図示しない）に対する操作を検知することにより音声情報ＲＶを記録するための録音操作が行われたか否かを判別する（ステップＳ１５）。このとき、制御部１１は、録音操作が行われた場合には（ステップＳ１５；ＹＥＳ）、音声デコーダ１６を制御することにより、マイクロフォン１７より入力された音声情報ＲＶを符号化し、記憶部１２に一時保存し（ステップＳ１６）、次いで、一時保存した音声情報ＲＶにガイダンス端末ＩＤを紐付けて配信端末２０に送信する（ステップＳ１７）。一方、制御部１１は、録音操作が行われなかった場合には（ステップＳ１５；ＮＯ）、次いで、音声情報ＲＶが無い旨を示す「音声情報無しフラグ」にガイダンス端末ＩＤを紐付けて配信端末２０に送信する（ステップＳ１７）。
【０１０１】
その後、制御部１１は、自らが備えられたガイダンス端末１０の電源スイッチがオフとされたか否かを確認し（ステップＳ１８）、電源スイッチがオフとされていないときは（ステップＳ１８；ＮＯ）、そのまま上記ステップＳ１１に戻って上述した一連の動作を繰り返す。一方、制御部１１は、ガイダンス端末１０の電源スイッチがオフとされているときは（ステップＳ１８；ＹＥＳ）、ガイダンス端末１０としての動作を停止する。
【０１０２】
次に、配信端末２０の動作について、図１５中央のフローチャートを用いて説明する。
【０１０３】
当該フローチャートに示すように、配信端末２０内の制御部２１は、その電源スイッチがオンとされると（ステップＳ２０）、何れかのガイダンス端末１０からのガイダンス端末ＩＤが受信されたか否かの監視を開始する（ステップＳ２１。図１５のステップＳ１２参照）。そして、ガイダンス端末ＩＤが受信されていない場合（ステップＳ２１；ＮＯ）、制御部２１はそのまま監視を継続する。一方、制御部２１は、当該ガイダンス端末ＩＤが受信された場合（ステップＳ２１；ＹＥＳ）、受信したガイダンス端末ＩＤに、自らが備えられた配信端末２０に対応するスポットＩＤと、当該ガイダンス端末ＩＤを受信した際の電波強度を紐付けてコンテンツサーバ３０に送信する。
【０１０４】
その後、制御部２１は、コンテンツサーバ３０からガイダンス情報ＧＶ及びガイダンス端末ＩＤが送信されて来たか否かを監視する（ステップＳ２３）。そして、制御部２１は、未だガイダンス情報ＧＶ及びガイダンス端末ＩＤが送信されて来ていないときは（ステップＳ２３；ＮＯ）そのまま監視動作を継続し、一方、ガイダンス情報ＧＶ及びガイダンス端末ＩＤが送信されて来た場合には（ステップＳ２３；ＹＥＳ）、受信したガイダンス端末ＩＤに対応するガイダンス端末１０に、受信したガイダンス情報ＧＶを送信する（ステップＳ２４）。
【０１０５】
その後、制御部２１は、ガイダンス端末１０からのガイダンス端末ＩＤと、音声情報ＲＶ又は音声情報無しフラグが受信されたか否かの監視を開始する（ステップＳ２５。図１５のステップＳ１７参照）。そして、ガイダンス端末ＩＤと、音声情報ＲＶ又は音声情報無しフラグが受信されていない場合（ステップＳ２５；ＮＯ）、制御部２１はそのまま監視を継続する。一方、制御部２１は当該ガイダンス端末ＩＤと、音声情報ＲＶ又は音声情報無しフラグが受信された場合（ステップＳ２５；ＹＥＳ）、受信したガイダンス端末ＩＤと、音声情報ＲＶ又は音声情報無しフラグに、自らが備えられた配信端末２０に対応するスポットＩＤを紐付けてコンテンツサーバ３０に送信する。
【０１０６】
その後、制御部２１は、自らが備えられた配信端末２０の電源スイッチがオフとされたか否かを確認し（ステップＳ２７）、電源スイッチがオフとされていないときは（ステップＳ２７；ＮＯ）、そのまま上記ステップＳ２１に戻って上述した一連の動作を繰り返す。一方ステップＳ２７の判定において、配信端末２０の電源スイッチがオフとされているときは（ステップＳ２７；ＹＥＳ）、配信端末２０としての動作を停止する。
【０１０７】
次に、コンテンツサーバ３０の動作について、図１５右寄りに示すフローチャートを用いて説明する。
【０１０８】
当該フローチャートに示すように、コンテンツサーバ３０内の制御部３１は、その電源スイッチがオンとされると（ステップＳ３０）、配信端末２０からの上記ガイダンス端末ＩＤ、スポットＩＤ及び電波強度が受信されたか否かの監視を開始する（ステップＳ３１。図１５ステップＳ２２参照）。制御部３１は、ガイダンス端末ＩＤ、スポットＩＤ及び電波強度が受信されていない場合（ステップＳ３１；ＮＯ）、そのまま監視を継続する。一方、制御部３１は、ガイダンス端末ＩＤ、スポットＩＤ及び電波強度が受信された場合（ステップＳ３１；ＹＥＳ）、受信したガイダンス端末ＩＤ、スポットＩＤ及び電波強度を一時的に記憶部３２内に記憶させる（ステップＳ３２）。
【０１０９】
次に、制御部２１は、一のガイダンス端末ＩＤの対として複数のスポットＩＤが一次保存されているか否かを、記憶部３２内において確認する（ステップＳ３３）。このとき、制御部３１は、一のガイダンス端末ＩＤの対として一のスポットＩＤのみが一次保存されている場合（ステップＳ３３；ＮＯ）、後述するステップＳ３５の処理に移行する。一方、制御部２１は、一のガイダンス端末ＩＤの対として複数のスポットＩＤが一次保存されている場合には（ステップＳ３３；ＹＥＳ）、ユーザ位置算出部３６に各電波強度からそれぞれの距離を算出させることによりガイダンス端末１０から最も短い距離にある配信端末２０を決定し（ステップＳ３４）、決定した配信端末２０以外の配信端末２０から送信され、一時保存しておいたデータを記憶部３２から削除する。
【０１１０】
次に、制御部３１は、受信したスポットＩＤに基づいてガイダンスマスタファイル３４０よりガイダンス情報ＧＶを取得し、取得したガイダンス情報ＧＶと、受信したガイダンス端末ＩＤとを対として配信端末２０に送信する（ステップＳ３５）。
【０１１１】
その後、制御部３１は、配信端末２０からガイダンス端末ＩＤと、スポットＩＤと、音声情報ＲＶ又は音声情報無しフラグが受信されたか否かの監視を開始する（ステップＳ３６。図１５のステップＳ２６参照）。そして、ガイダンス端末ＩＤと、スポットＩＤと、音声情報ＲＶ又は音声情報無しフラグが受信されていない場合（ステップＳ３６；ＮＯ）、制御部３１はそのまま監視を継続する。一方、制御部３１は、ガイダンス端末ＩＤと、スポットＩＤと、音声情報ＲＶ又は音声情報無しフラグが受信された場合（ステップＳ３６；ＹＥＳ）、次いで、追体験ワークデータレコードを作成し、ＤＢに格納する（ステップＳ３７）。具体的には、制御部３１は、追体験ワークデータレコードのガイダンス端末ＩＤ及びスポットＩＤに、それぞれ受信したガイダンス端末ＩＤ及びスポットＩＤをセットし、追体験ワークデータレコードのユーザＩＤに、受信したガイダンス端末ＩＤと予め紐付けられているユーザＩＤをセットする。また、追体験ワークデータレコードの日時情報に、ガイダンス端末ＩＤと、スポットＩＤと、音声情報ＲＶ又は音声情報無しフラグを受信した日時をセットする。さらに、制御部３１は、音声情報ＲＶを受信した場合には、追体験ワークデータレコードの音声情報に受信した音声情報ＲＶをセットし、一方、音声情報無しフラグを受信した場合には、追体験ワークデータレコードの音声情報に音声情報無しフラグをセットする。なお、追体験ワークデータレコードの音声情報に音声情報無しフラグがセットされた場合には、追体験実行画面１２０（図４参照）において当該観光スポットについての音声情報ＲＶは再生されない。
【０１１２】
その後、制御部３１は、コンテンツサーバ２０の電源スイッチがオフとされたか否かを確認し（ステップＳ３８）、電源スイッチがオフとされていないときは（ステップＳ３８；ＮＯ）、そのまま上記ステップＳ３１に戻って上述した一連の動作を繰り返す。一方ステップＳ３８の判定において、コンテンツサーバ２０の電源スイッチがオフとされているときは（ステップＳ３８；ＹＥＳ）、コンテンツサーバ３０としての動作を停止する。
【０１１３】
次に、図１６を用いて、ユーザが追体験サービスを利用する際のユーザ端末５０及びコンテンツサーバ３０の動作について説明する。
【０１１４】
図１６左のフローチャートに示すように、ユーザ端末５０の制御部５１は、その電源スイッチがオンとされると（ステップＳ５０）、何れかのユーザによりユーザＩＤ及びＰＷ（パスワード）が入力されたか否かの監視を開始する（ステップＳ５１）。そして、制御部５１は、ユーザＩＤ及びＰＷが入力されていない場合（ステップＳ５１；ＮＯ）、そのまま監視を継続する。一方、制御部５１は、ユーザＩＤ及びＰＷが入力された場合（ステップＳ５１；ＹＥＳ）、入力されたユーザＩＤ及びＰＷ並びに当該ユーザ端末５０のユーザ端末識別情報ＩＤＰをコンテンツサーバ３０に送信する（ステップＳ５２）。
【０１１５】
その後、制御部５１は、コンテンツサーバ３０からのメニュー画面データが受信されたか否かの監視を開始する（ステップＳ５３。図１６のステップＳ７３参照）。そして、制御部５１は、メニュー画面データが受信されていない場合（ステップＳ５３；ＮＯ）、そのまま監視を継続する。一方、制御部５１は、メニュー画面データが受信された場合（ステップＳ５３；ＹＥＳ）、次いで、受信したメニュー画面データに基づいて、図２に示したメニュー画面１００を表示させる（ステップ５４）。
【０１１６】
次に、制御部５１は、メニュー画面１００において、「（ｉ）追体験」、「（ii）コメント書き込み」又は「（iii）コメント閲覧」の何れが選択されたかを判別する（ステップＳ５５）。このとき、制御部５１は、「（ｉ）追体験」が選択された場合には、「（ｉ）追体験」が選択された事を示す識別信号と追体験用ＩＤ入力領域１０５に入力されたユーザ識別情報ＩＤＵをコンテンツサーバ３０に送信し（ステップ５６−１）、次いで、図１７に示す追体験処理（ユーザ端末）に移行する（ステップＳ５７）。一方、制御部５１は、「（ii）コメント書き込み」が選択された場合には、「（ii）コメント書き込み」が選択された事を示す識別信号と書込用ＩＤ入力領域１０６に入力されたユーザ識別情報ＩＤＵをコンテンツサーバ３０に送信し（ステップ５６−２）、次いで、図１８に示すコメント書込処理（ユーザ端末）に移行する（ステップＳ５８）。他方、制御部５１は、「（iii）コメント閲覧」が選択された場合には、「（iii）コメント閲覧」が選択された事を示す識別信号をコンテンツサーバ３０に送信し（ステップ５６−３）、次いで、図１９に示すコメント閲覧処理（ユーザ端末）に移行する（ステップＳ５９）。
【０１１７】
制御部５１は、ステップＳ５７、ステップＳ５８又はステップＳ５９の処理を終了した後には、自らが備えられたユーザ端末５０の電源スイッチがオフとされたか否かを確認し（ステップＳ６０）、電源スイッチがオフとされていないときは（ステップＳ６０；ＮＯ）、そのまま上記ステップＳ５１に戻って上述した一連の動作を繰り返す。一方ステップＳ６０の判定において、ユーザ端末５０の電源スイッチがオフとされているときは（ステップＳ６０；ＹＥＳ）、ユーザ端末５０としての動作を停止する。
【０１１８】
他方、図１６右のフローチャートに示すように、コンテンツサーバ３０の制御部３１は、その電源スイッチがオンとされると（ステップＳ７０）、ユーザ端末５０からのユーザＩＤ及びＰＷ並びにユーザ端末識別情報ＩＤＰが受信されたか否かの監視を開始する（ステップＳ７１）。そして、制御部３１は、ユーザＩＤ及びＰＷ並びにユーザ端末識別情報ＩＤＰが受信されていない場合（ステップＳ７１；ＮＯ）、そのまま監視を継続する。一方、制御部３１は、ユーザＩＤ及びＰＷ並びにユーザ端末識別情報ＩＤＰが受信された場合（ステップＳ７１；ＹＥＳ）、受信したユーザＩＤ及びＰＷに基づいて、ユーザ認証を行う（ステップＳ７２）。なお、図示しないが、制御部３１はユーザ認証が正常に終了しなかった場合、すなわち、ユーザＩＤ及びＰＷの組合せが予め登録されているものと異なる場合には、ユーザにユーザＩＤ及びＰＷの再入力をさせるべく、ユーザ端末５０にユーザ認証が正常に終了しなかった旨を示す情報を送信する。
【０１１９】
制御部３１は、ユーザ認証が終了すると、次いで、メニュー画面データを受信したユーザ端末識別情報ＩＤＰの示すユーザ端末５０に送信する（ステップＳ７３）。
【０１２０】
その後、制御部３１は、ユーザ認証を行ったユーザ端末５０からの「（ｉ）追体験」が選択された事を示す識別信号、「（ii）コメント書き込み」が選択された事を示す識別信号、又は「（iii）コメント閲覧」が選択された事を示す識別信号が受信されたか否かの監視を開始する（ステップＳ７４。図１６のステップＳ５６−１、ステップＳ５６−２、ステップＳ５６−３参照）。そして、制御部３１は、何れの識別信号も受信されていない場合（ステップＳ７４；ＮＯ）、そのまま監視を継続する。一方、制御部５１は、何れかの識別信号が受信された場合（ステップＳ７４；ＹＥＳ）、次いで、受信した識別信号に基づいて、「（ｉ）追体験」、「（ii）コメント書き込み」、「（iii）コメント閲覧」のうち何れが選択されたかを判別する（ステップＳ７５）。
【０１２１】
制御部３１は、ステップＳ７５の処理において、「（ｉ）追体験」が選択されたと判別した場合には、図１７に示す追体験処理（コンテンツサーバ）に移行する（ステップＳ７６）。一方、制御部３１は、「（ii）コメント書き込み」が選択されたと判別した場合には、図１８に示すコメント書込処理（コンテンツサーバ）に移行する（ステップＳ７７）。他方、制御部３１は、「（iii）コメント閲覧」が選択されたと判別した場合には、図１９に示すコメント閲覧処理（コンテンツサーバ）に移行する（ステップＳ７８）。
【０１２２】
制御部３１は、ステップＳ７６、ステップＳ７７又はステップＳ７８の処理を終了した後には、自らが備えられたコンテンツサーバ３０の電源スイッチがオフとされたか否かを確認し（ステップＳ７９）、電源スイッチがオフとされていないときは（ステップＳ７９；ＮＯ）、そのまま上記ステップＳ７１に戻って上述した一連の動作を繰り返す。一方ステップＳ７９の判定において、コンテンツサーバ３０の電源スイッチがオフとされているときは（ステップＳ７９；ＹＥＳ）、コンテンツサーバ３０としての動作を停止する。
【０１２３】
次に、図１７を用いて、ユーザが「（ｉ）追体験」サービスを選択した際のユーザ端末５０及びコンテンツサーバ３０の動作について説明する。
【０１２４】
図１７左のフローチャートに示すように、ユーザ端末５０の制御部５１は、まず、コンテンツサーバ３０からの追体験エリア選択画面データが受信されたか否かの監視を開始する（ステップＳ９０。図１７のステップＳ７３参照）。そして、制御部５１は、追体験エリア選択画面データが受信されていない場合（ステップＳ９０；ＮＯ）、そのまま監視を継続する。一方、制御部５１は、追体験エリア選択画面データが受信された場合（ステップＳ９０；ＹＥＳ）、受信した追体験エリア選択画面データに基づいて、図３に示した追体験エリア選択画面１１０を表示させる（ステップ９１）。
【０１２５】
次に、制御部５１は、追体験エリア選択画面１１０において観光エリアが選択されたか否かの監視を開始する（ステップＳ９２）。そして、制御部５１は、観光エリアが選択されていない場合（ステップＳ９２；ＮＯ）、そのまま監視を継続する。一方、制御部５１は、観光エリアが選択された場合（ステップＳ９２；ＹＥＳ）、次いで、選択された観光エリアに対応するエリアＩＤを示す情報をコンテンツサーバ３０に送信する（ステップＳ９３）。
【０１２６】
その後、制御部５１は、コンテンツサーバ３０からの追体験実行画面データが受信されたか否かの監視を開始する（ステップＳ９４。図１７のステップＳ１０２参照）。そして、制御部５１は、追体験実行画面データが受信されていない場合（ステップＳ９４；ＮＯ）、そのまま監視を継続する。一方、制御部５１は、追体験実行画面データが受信された場合（ステップＳ９４；ＹＥＳ）、受信した追体験実行画面データに基づいて、図４に示した追体験実行画面１２０を表示させる（ステップＳ９５）。追体験実行画面データには追体験ワークデータレコードの日時情報や音声情報等が含まれ、制御部５１はステップＳ９５の処理において、上述したように日時情報に基づく観光順序に従って各観光スポットに関する３次元画像の表示及び音声情報ＲＶの再生を行う。制御部５１は、ステップＳ９５の処理を終了すると図１６のステップＳ６０の処理に移行する。
【０１２７】
他方、図１７右のフローチャートに示すように、コンテンツサーバ３０の制御部３１は、まず、ステップＳ７４（図１６参照）の処理で受信したユーザ識別情報ＩＤＵに対応する追体験エリア選択画面データをユーザ端末５０に送信する（ステップＳ１００）。具体的には、制御部３１は、ＤＢ４０の追体験ワークデータファイル３７０から受信したユーザ識別情報ＩＤＵに対応する追体験ワークデータレコードを検索し、検索した追体験ワークデータレコードのスポットＩＤを基に、スポットマスタファイル３３０及びエリアマスタファイル３２０を検索することによって観光者が観光した観光エリアＩＤ及び観光エリア名を取得する。こうして制御部３１は、追体験エリア選択画面データを生成してユーザ端末５０に送信する。
【０１２８】
その後、制御部３１は、ユーザ端末５０からのエリアＩＤを示す情報が受信されたか否かの監視を開始する（ステップＳ１０１。図１７のステップＳ９３参照）。そして、制御部３１は、エリアＩＤを示す情報が受信されていない場合（ステップＳ１０１；ＮＯ）、そのまま監視を継続する。一方、制御部３１は、エリアＩＤを示す情報が受信された場合（ステップＳ１０１；ＹＥＳ）、次いで、追体験実行画面データをユーザ端末５０に送信する（ステップＳ１０２）。具体的には、制御部３１は、ステップＳ１００の処理で検索した追体験ワークデータレコードの中から、ステップＳ１０１の処理で受信したエリアＩＤの示す観光エリアに含まれる観光スポットのスポットＩＤを含むレコードを抽出するとともに、当該スポットＩＤに基づいて、追体験コンテンツマスタファイル３５０から該当するコンテンツ情報（３次元画像情報等）を検索し、追体験実行画面データを生成して送信する。制御部３１は、ステップＳ１０２の処理を終了すると図１６のステップＳ７９の処理に移行する。
【０１２９】
次に、図１８を用いて、ユーザが「（ii）コメント書き込み」サービスを選択した際のユーザ端末５０及びコンテンツサーバ３０の動作について説明する。
【０１３０】
図１８左のフローチャートに示すように、ユーザ端末５０の制御部５１は、コンテンツサーバ３０からのコメント書込画面データが受信されたか否かの監視を開始する（ステップＳ１２０。図１８のステップＳ１３０参照）。そして、制御部５１は、コメント書込画面データが受信されていない場合（ステップＳ１２０；ＮＯ）、そのまま監視を継続する。一方、制御部５１は、コメント書込画面データが受信された場合（ステップＳ１２０；ＹＥＳ）、次いで、受信したコメント書込画面データに基づいて、図５に示したコメント書込エリア選択画面１３０を表示させる（ステップ１２１）。
【０１３１】
次に、制御部５１は、コメント書込エリア選択画面１３０において観光エリアが選択されたか否かの監視を開始する（ステップＳ１２２）。そして、制御部５１は、観光エリアが選択されていない場合（ステップＳ１２２；ＮＯ）、そのまま監視を継続する。一方、制御部５１は、観光エリアが選択された場合（ステップＳ１２２；ＹＥＳ）、次いで、選択された観光エリアに対応するコメント書込画面１４０（図６参照）を表示させる（ステップ１２３）。
【０１３２】
次に、制御部５１は、コメント書込画面１４０において「コメント確定」ボタン１４４がクリックされたか否かの監視を開始する（ステップＳ１２４）。そして、制御部５１は、「コメント確定」ボタン１４４がクリックされていない場合（ステップＳ１２４；ＮＯ）、そのまま監視を継続する。一方、制御部５１は、「コメント確定」ボタン１４４がクリックされた場合（ステップＳ１２４；ＹＥＳ）、次いで、コメント書込領域１４２に記入されているコメント情報ＣＭを、コメント書込スポット指示矢印１４３の指示する観光スポットのスポットＩＤと紐付けて、コンテンツサーバ３０に送信する（ステップＳ１２５）。制御部５１は、ステップＳ１２５の処理を終了すると図１６のステップＳ６０の処理に移行する。
【０１３３】
他方、図１８右のフローチャートに示すように、コンテンツサーバ３０の制御部３１は、まず、ステップＳ７４（図１６参照）の処理で受信したユーザ識別情報ＩＤＵに対応するコメント書込画面データをユーザ端末５０に送信する（ステップＳ１３０）。具体的には、制御部３１は、ＤＢ４０の追体験ワークデータファイル３７０から受信したユーザ識別情報ＩＤＵに対応する追体験ワークデータレコードを検索し、検索した追体験ワークデータレコードのスポットＩＤを基に、スポットマスタファイル３３０及びエリアマスタファイル３２０を検索することによって観光者が観光した観光エリアＩＤ及び観光エリア名を取得する。こうして制御部３１は、コメント書込エリア選択画面１３０（図５参照）及びコメント書込画面１４０（図６参照）を表示するためのコメント書込画面データを生成してユーザ端末５０に送信する。
【０１３４】
その後、制御部３１は、ユーザ端末５０からのスポットＩＤ及びコメント情報ＣＭが受信されたか否かの監視を開始する（ステップＳ１３１。図１８のステップＳ１２５参照）。そして、制御部３１は、スポットＩＤ及びコメント情報ＣＭが受信されていない場合（ステップＳ１３１；ＮＯ）、そのまま監視を継続する。一方、制御部３１は、スポットＩＤ及びコメント情報ＣＭが受信された場合（ステップＳ１３１；ＹＥＳ）、次いで、コメントワークデータレコードを作成し、ＤＢ４０に格納する（ステップＳ１３２）。具体的には、制御部３１は、コメント情報ＣＭに係る観光スポットを観光した観光者のユーザＩＤをコメントワークデータレコードのユーザＩＤにセットし、ユーザ認証（図１６のステップＳ７２）のために入力されたユーザＩＤをコメントワークデータレコードのコメント書き込みユーザＩＤにセットする。更に、ステップＳ１３１の処理で受信したスポットＩＤ及びコメント情報ＣＭをコメントワークデータレコードのスポットＩＤ及びコメント情報にそれぞれセットすることにより、コメントワークデータレコードを作成する。制御部３１は、ステップＳ１３２の処理を終了すると図１６のステップＳ７９の処理に移行する。
【０１３５】
次に、図１９を用いて、ユーザが「（iii）コメント閲覧」サービスを選択した際のユーザ端末５０及びコンテンツサーバ３０の動作について説明する。
【０１３６】
図１９左のフローチャートに示すように、ユーザ端末５０の制御部５１は、コンテンツサーバ３０からのコメント閲覧エリア選択画面データが受信されたか否かの監視を開始する（ステップＳ１５０。図１９のステップＳ１７０参照）。そして、制御部５１は、コメント閲覧エリア選択画面データが受信されていない場合（ステップＳ１５０；ＮＯ）、そのまま監視を継続する。一方、制御部５１は、コメント閲覧エリア選択画面データが受信された場合（ステップＳ１５０；ＹＥＳ）、受信したコメント閲覧エリア選択画面データに基づいて、図７に示したコメント閲覧エリア選択画面１５０を表示させる（ステップ１５１）。
【０１３７】
次に、制御部５１は、コメント閲覧エリア選択画面１５０において観光エリアが選択されたか否かの監視を開始する（ステップＳ１５２）。そして、制御部５１は、観光エリアが選択されていない場合（ステップＳ１５２；ＮＯ）、そのまま監視を継続する。一方、制御部５１は、観光エリアが選択された場合（ステップＳ１５２；ＹＥＳ）、次いで、選択された観光エリアに対応するエリアＩＤを示す情報をコンテンツサーバ３０に送信する（ステップＳ１５３）。
【０１３８】
その後、制御部５１は、コンテンツサーバ３０からのコメント閲覧画面データが受信されたか否かの監視を開始する（ステップＳ１５４。図１９のステップＳ１７３参照）。そして、制御部５１は、コメント閲覧画面データが受信されていない場合（ステップＳ１５４；ＮＯ）、そのまま監視を継続する。一方、制御部５１は、コメント閲覧画面データが受信された場合（ステップＳ１５４；ＹＥＳ）、受信したコメント閲覧画面データに基づいて、図８に示した第１コメント閲覧画面１６０を表示させる（ステップ１５５）。
【０１３９】
その後、制御部５１は、第１コメント閲覧画面１６０において何れかのコメントが選択されたか否かの監視を開始する（ステップＳ１５６）。そして、制御部５１は、何れのコメントも受信されていない場合（ステップＳ１５６；ＮＯ）、そのまま監視を継続する。一方、制御部５１は、何れかのコメントが選択された場合（ステップＳ１５６；ＹＥＳ）、選択されたコメントの全文を表示する第２コメント閲覧画面１７０（図９参照）を表示させる（ステップ１５７）。
【０１４０】
次に、制御部５１は、第２コメント閲覧画面１７０において「コメント確定」ボタン１７３がクリックされたか否かの監視を開始する（ステップＳ１５８）。そして、制御部５１は、「コメント確定」ボタン１７３がクリックされていない場合（ステップＳ１５８；ＮＯ）、そのまま監視を継続する。一方、制御部５１は、「コメント確定」ボタン１７３がクリックされた場合（ステップＳ１５８；ＹＥＳ）、次いで、コメント書込領域１７２に記入されている追加コメント情報ＣＭを、基本コメントを書き込んだユーザのユーザＩＤと、基本コメントの対象である観光スポットのスポットＩＤと紐付けて、コンテンツサーバ３０に送信する（ステップＳ１５９）。制御部５１は、ステップＳ１５９の処理を終了すると図１６のステップＳ６０の処理に移行する。
【０１４１】
他方、図１９右のフローチャートに示すように、コンテンツサーバ３０の制御部３１は、まず、コメント閲覧エリア選択画面データをユーザ端末５０に送信する（ステップＳ１７０）。具体的には、制御部３１は、ＤＢ４０のコメントワークデータファイル３８０から全てのスポットＩＤを抽出し、抽出したスポットＩＤを基に、スポットマスタファイル３３０及びエリアマスタファイル３２０を検索することによってコメントが書き込まれている観光スポット及び当該観光スポットを含む観光エリアの名称（観光スポット名及び観光エリア名）とエリアＩＤを取得する。こうして制御部３１は、コメント閲覧エリア選択画面データを生成してユーザ端末５０に送信する。
【０１４２】
その後、制御部３１は、ユーザ端末５０からのエリアＩＤを示す情報が受信されたか否かの監視を開始する（ステップＳ１７１。図１９のステップＳ１５３参照）。そして、制御部３１は、エリアＩＤを示す情報が受信されていない場合（ステップＳ１７１；ＮＯ）、そのまま監視を継続する。一方、制御部３１は、エリアＩＤを示す情報が受信された場合（ステップＳ１７１；ＹＥＳ）、次いで、受信したエリアＩＤの示す観光エリアに含まれる観光スポットのスポットＩＤをキーとして、コメントワークデータファイル３８０から該当するコメントワークデータレコードを検索する（ステップＳ１７２）。
【０１４３】
次に、制御部３１は、検索したコメントワークデータレコードに基づいてコメント閲覧画面データを生成し、ユーザ端末５０に送信する（ステップＳ１７３）。具体的には、ステップＳ１７２の処理で検索したコメントワークデータレコードの基本コメント情報及び追加コメント情報と、それぞれに対応するコメント書き込みユーザＩＤ及び追加コメント書き込みユーザＩＤを、第１コメント閲覧画面１６０（図８参照）のコメント表示領域１６３に表示させるコメント閲覧画面データを生成し、ユーザ端末５０に送信する。
【０１４４】
その後、制御部３１は、ユーザ端末５０からのユーザＩＤ、スポットＩＤ及びコメント情報ＣＭが受信されたか否かの監視を開始する（ステップＳ１７４。図１９のステップＳ１５９参照）。そして、制御部３１は、ユーザＩＤ、スポットＩＤ及びコメント情報ＣＭが受信されていない場合（ステップＳ１７４；ＮＯ）、そのまま監視を継続する。一方、制御部３１は、ユーザＩＤ、スポットＩＤ及びコメント情報ＣＭが受信された場合（ステップＳ１７４；ＹＥＳ）、次いで、コメントワークデータレコードを作成し、ＤＢ４０に格納する（ステップＳ１７５）。
【０１４５】
制御部３１は、コメントワークデータレコードを作成する際、図１８のステップＳ１３２で作成したコメントワークデータレコードのコメント情報に対する追加コメント情報が書き込まれた場合には、当該ステップＳ１３２で作成したコメントワークデータレコードの追加コメント書き込みユーザＩＤにユーザ認証（図１６のステップＳ７２）のために入力されたユーザＩＤをセットし、追加コメント情報にステップＳ１７４の処理で受信したコメント情報ＣＭをセットする。制御部３１は、こうして新たに追加コメント書き込みユーザＩＤ及び追加コメント情報がセットされたコメントワークデータレコードをＤＢ４０に格納する。
【０１４６】
一方、制御部３１は、ステップＳ１７５で作成したコメントワークデータレコードの追加コメント情報に対する更なる追加コメント情報が書き込まれた場合には、当該コメントワークデータレコードを複製して新たなコメントワークデータレコードを作成し、当該新たなコメントワークデータレコードの追加コメント書き込みユーザＩＤと追加コメント情報を、コメント書き込みユーザＩＤとコメント情報にセットし、更に、追加コメント書き込みユーザＩＤにユーザ認証（図１６のステップＳ７２）のために入力されたユーザＩＤをセットするとともに、追加コメント情報にステップＳ１７４の処理で受信したコメント情報をセットする。制御部３１は、こうして作成した新たなコメントワークデータレコードをＤＢ４０に格納する。
【０１４７】
［第２実施形態］
次に、第２実施形態について図２０〜図２２を用いて説明する。第２実施形態は、ガイダンス端末が配信端末を介さずにコンテンツサーバとデータの授受を行う点で、第１実施形態とは異なる。以下の説明では、第１実施形態とは異なる点を中心に説明を行い、第１実施形態と同じ点又は類似する点については説明を省略する。また、第１実施形態と同じ構成について同一の符号を代用する。なお、図２０は第２実施形態に係る追体験システムの全体構成を示すブロック図である。図２１は第２実施形態に係るガイダンス端末の細部構成を示すブロック図である。図２２は第２実施形態において、観光者（ユーザ）が観光スポットを訪れた際のガイダンス端末及びコンテンツサーバの動作を夫々に示すフローチャートである。
【０１４８】
図２０に示すように、第２実施形態に係る追体験システムＳＢは、各観光スポットに設置され、ガイダンス端末１０Ｂに対して無線によりスポット識別情報ＩＤＳを送信可能な無線送信装置６０（図２０では、各観光スポットに無線送信装置６０１〜６０ｎが設置されている）と、追体験システムＳＢのユーザである観光者に携帯され、ガイダンス情報ＧＶを発音するとともに音声情報ＲＶを記録可能であって、無線送信装置６０及びコンテンツサーバ３０とのデータの送受信が可能なガイダンス端末１０Ｂと、ガイダンス端末１０Ｂ及びユーザ端末５０とネットワークＮを介して接続され、ガイダンス情報ＧＶ、音声情報ＲＶ、画像情報などを含むコンテンツ情報等を蓄積して、適宜、ガイダンス情報ＧＶを各ガイダンス端末１０に配信したり、コンテンツ情報、音声情報ＲＶをユーザ端末５０に送信したりするコンテンツサーバ３０と、コンテンツサーバ３０にユーザ認証を経て接続可能であって、コメント情報ＣＭを送信し、コンテンツ情報、音声情報ＲＶ、コメント情報ＣＭを受信するユーザ端末５０と、により構成されている。
【０１４９】
無線送信装置６０は、自らが設置されている観光スポットを識別するためのスポット識別情報ＩＤＳを無線によりガイダンス端末１０Ｂに送信する。例えば、無線送信装置６０は、スポット識別情報ＩＤＳを記憶したＲＦＩＤタグから構成される。
【０１５０】
なお、第２実施形態における無線送信装置６０は、本発明の設置端末送信手段の一例である。
【０１５１】
次に、図２１を用いて第２実施形態でのガイダンス端末１０Ｂについて説明する。なお、図１０はガイダンス端末１０Ｂの細部構成を示すブロック図である。第２実施形態におけるガイダンス端末１０Ｂは、第１実施形態におけるガイダンス端末１０と、無線通信部１４Ｂの構成が異なる。
【０１５２】
無線通信部１４Ｂは、無線送信装置６０からのスポット識別情報ＩＤＳを受信可能な装置（例えば、ＲＦＩＤタグ用リーダ・ライタ等）と、コンテンツサーバ３０との間で大容量のデータを送受信可能な装置（例えば、Ｂｌｕｅｔｏｏｔｈ（登録商標）又は無線ＬＡＮインターフェース等）とにより構成される。無線通信部１４Ｂは、無線送信装置６０からスポット識別情報ＩＤＳを受信すると、受信したスポット識別情報ＩＤＳに自らのガイダンス端末識別情報ＩＤＧを付してコンテンツサーバ３０に送信するための送信処理を行う。また、無線通信部１４Ｂは、コンテンツサーバ３０からのガイダンス情報ＧＶを受信するための受信処理を行う。更に、無線通信部１４Ｂは、音声エンコーダ１８によりエンコードされ、記憶部１２に記憶された音声情報ＲＶを、スポット識別情報ＩＤＳ及びガイダンス端末識別情報ＩＤＧと紐付けてコンテンツサーバ３０に送信するための送信処理を行う。
【０１５３】
なお、制御部１１及び無線通信部１４Ｂは、本発明の送信装置送信手段の一例である。
【０１５４】
次に、図２２を用いて、第２実施形態における、観光者（ユーザ）が観光スポットを訪れた際のガイダンス端末１０Ｂ及びコンテンツサーバ３０の動作を説明する。
【０１５５】
図２２左に示すように、ガイダンス端末１０Ｂの制御部１１は、その電源スイッチがオンとされると（ステップＳ２００）、次いで、無線送信装置６０からのスポットＩＤを受信したか否かを監視する（ステップＳ２０１）。このとき、制御部１１は、未だスポットＩＤを受信していない場合には（ステップＳ２０１；ＮＯ）そのまま監視動作を継続し、一方、スポットＩＤを受信した場合には（ステップＳ２０１；ＹＥＳ）、受信したスポットＩＤに自らのガイダンス端末ＩＤを紐付けてコンテンツサーバ３０に送信する（ステップＳ２０２）。
【０１５６】
なお、無線送信装置６０がアクティブＲＦＩＤタグにより構成されているとともに、無線通信部１４ＢがＲＦＩＤタグ用リーダ・ライタを備えている場合において、ＲＦＩＤタグ用リーダ・ライタが複数のアクティブＲＦＩＤタグからスポットＩＤを受信したときには、受信した際の電波強度が最強のスポットＩＤを優先する。また、無線送信装置６０がパッシブＲＦＩＤタグにより構成されている場合には、ＲＦＩＤタグ用リーダ・ライタが複数のパッシブＲＦＩＤタグからスポットＩＤを受信することは、特段の事情（例えば、複数の無線通信装置６０が近接しているなどの事情）がない限りない。
【０１５７】
制御部１１は、ステップＳ２０２の処理が完了すると、その後、コンテンツサーバ３０からガイダンス情報ＧＶが送信されて来たか否かを監視する（ステップＳ２０３）。このとき、制御部１１は、未だガイダンス情報ＧＶが送信されて来ていないときは（ステップＳ２０３；ＮＯ）そのまま監視動作を継続し、一方、ガイダンス情報ＧＶが送信されて来た場合には（ステップＳ２０３；ＹＥＳ）、音声デコーダ１６を制御することにより、当該受信した当該ガイダンス情報ＧＶの内容を音声として再生し（ステップＳ２０４）、それを携帯する観光者に聴取させる。
【０１５８】
その後、制御部１１は、ユーザによる録音開始／終了ボタン（図示しない）に対する操作を検知することにより音声情報ＲＶを記録するための録音操作が行われたか否かを判別する（ステップＳ２０５）。このとき、制御部１１は、録音操作が行われた場合には（ステップＳ２０５；ＹＥＳ）、音声デコーダ１６を制御することにより、マイクロフォン１７より入力された音声情報ＲＶを符号化し、記憶部１２に一時保存し（ステップＳ２０６）、次いで、一時保存した音声情報ＲＶにガイダンス端末ＩＤ及びスポットＩＤを紐付けてコンテンツサーバ３０に送信する（ステップＳ２０７）。一方、制御部１１は、録音操作が行われなかった場合には（ステップＳ２０５；ＮＯ）、次いで、音声情報ＲＶが無い旨を示す「音声情報無しフラグ」にガイダンス端末ＩＤ及びスポットＩＤを紐付けてコンテンツサーバ３０に送信する（ステップＳ２０７）。
【０１５９】
その後、制御部１１は、自らが備えられたガイダンス端末１０Ｂの電源スイッチがオフとされたか否かを確認し（ステップＳ２０８）、電源スイッチがオフとされていないときは（ステップＳ２０８；ＮＯ）、そのまま上記ステップＳ２０１に戻って上述した一連の動作を繰り返す。一方、制御部１１は、ガイダンス端末１０Ｂの電源スイッチがオフとされているときは（ステップＳ２０８；ＹＥＳ）、ガイダンス端末１０Ｂとしての動作を停止する。
【０１６０】
次に、コンテンツサーバ３０の動作について、図２２右のフローチャートを用いて説明する。
【０１６１】
当該フローチャートに示すように、当該コンテンツサーバ３０内の制御部３１は、その電源スイッチがオンとされると（ステップＳ２１０）、ガイダンス端末１０Ｂからの上記ガイダンス端末ＩＤ及びスポットＩＤが受信されたか否かの監視を開始する（ステップＳ２１１。図２２ステップＳ２０２参照）。制御部３１は、ガイダンス端末ＩＤ及びスポットＩＤが受信されていない場合（ステップＳ２１１；ＮＯ）、そのまま監視を継続する。一方、制御部３１は、ガイダンス端末ＩＤ及びスポットＩＤが受信された場合（ステップＳ２１１；ＹＥＳ）、受信したスポットＩＤに基づいてガイダンスマスタファイル３４０よりガイダンス情報ＧＶを取得し、取得したガイダンス情報ＧＶをガイダンス端末１０Ｂに送信する（ステップＳ２１２）。
【０１６２】
その後、制御部３１は、ガイダンス端末１０Ｂからガイダンス端末ＩＤと、スポットＩＤと、音声情報ＲＶ又は音声情報無しフラグとが受信されたか否かの監視を開始する（ステップＳ２１３。図２２のステップＳ２０７参照）。そして、ガイダンス端末ＩＤと、スポットＩＤと、音声情報ＲＶ又は音声情報無しフラグとが受信されていない場合（ステップＳ２１３；ＮＯ）、制御部３１はそのまま監視を継続する。一方、制御部３１は、ガイダンス端末ＩＤと、スポットＩＤと、音声情報ＲＶ又は音声情報無しフラグとが受信された場合（ステップＳ２１３；ＹＥＳ）、次いで、追体験ワークデータレコードを作成し、ＤＢに格納する（ステップＳ２１４）。具体的には、制御部３１は、追体験ワークデータレコードのガイダンス端末ＩＤ及びスポットＩＤに、それぞれ受信したガイダンス端末ＩＤ及びスポットＩＤをセットし、追体験ワークデータレコードのユーザＩＤに、受信したガイダンス端末ＩＤと予め紐付けられているユーザＩＤをセットする。また、追体験ワークデータレコードの日時情報に、ガイダンス端末ＩＤと、スポットＩＤと、音声情報ＲＶ又は音声情報無しフラグを受信した日時をセットする。さらに、制御部３１は、音声情報ＲＶを受信した場合には、追体験ワークデータレコードの音声情報に受信した音声情報ＲＶをセットし、一方、音声情報無しフラグを受信した場合には、追体験ワークデータレコードの音声情報に音声情報無しフラグをセットする。
【０１６３】
その後、制御部３１は、コンテンツサーバ２０の電源スイッチがオフとされたか否かを確認し（ステップＳ２１５）、電源スイッチがオフとされていないときは（ステップＳ２１５；ＮＯ）、そのまま上記ステップＳ２１１に戻って上述した一連の動作を繰り返す。一方ステップＳ２１５の判定において、コンテンツサーバ２０の電源スイッチがオフとされているときは（ステップＳ２１５；ＹＥＳ）、コンテンツサーバ３０としての動作を停止する。
【０１６４】
以上説明したように、本実施形態の追体験システムによれば、ユーザ端末５０が各観光スポットにおいて記録された音声情報ＲＶを、観光者の観光順序に従って再生出力することから、追体験者は、観光者の観光体験を各観光スポットを移動した順序で追体験することができる。特に、観光スポットにおいて記録された音声情報ＲＶは、観光者が観光スポットを訪れた際の観光スポットにおける生の音声に基づくものであることから、追体験者は臨場感を持って追体験をすることができる。
【０１６５】
なお、例えば、音声情報ＲＶの代わりに観光スポットで撮影した画像情報をコンテンツサーバ３０のＤＢ４０に蓄積させ、ユーザ端末５０によりこれを取得して画像を表示させる構成も考えられるが、そもそも観光スポットの画像というものはインターネットや書籍等を介して頻繁に目にすることがあり、追体験者が臨場感をもって追体験するのに不十分である。一方、本実施形態のように音声情報であればその当時の観光者の感情や観光スポットの音を直接的に感じ取ることができ、追体験者が臨場感をもって追体験することができる。
【０１６６】
また、第１実施形態の追体験システムＳによれば、コンテンツサーバ３０へのデータ送信を配信端末２０が行うことから、ガイダンス端末１０における当該データ送信のための部品や処理が不要となり、当該ガイダンス端末１０の小型化／軽量化を実現することができる。
【０１６７】
また、第２実施形態の追体験システムＳＢによれば、コンテンツサーバ３０へのデータ送信をガイダンス端末１０が行うことから、無線送信装置６０における当該データ送信のための部品や処理が不要となり、当該無線送信装置６０の小型化／軽量化を実現することができる。
【０１６８】
また、本実施形態の追体験システムによれば、ユーザ端末５０は各観光スポットにおいて記録された音声情報ＲＶと共に、観光スポット情報表示領域１２２に当該観光スポットに関する画像や文章を観光者の観光順序に従って出力することから、追体験者は更に臨場感を持って追体験をすることができるとともに、観光スポットに関する情報を享受することができる。
【０１６９】
また、本実施形態の追体験システムによれば、コンテンツサーバ３０が、ユーザ端末５０から観光スポットについてのコメントを示すコメント情報を受信して、ＤＢ４０に閲覧可能に蓄積することから、観光スポットについて書き込まれたコメントを他者が閲覧することができる。
【０１７０】
また、本実施形態の追体験システムによれば、コンテンツサーバ３０が、ユーザ端末５０から基本コメントに対して入力された追加コメントを示す追加コメント情報を受信して、ＤＢ４０に閲覧可能に蓄積することから、観光スポットについて書き込まれた基本コメントを閲覧した者は、当該基本コメントに対する追加コメントを更に書き込み、これを他者に閲覧させることができる。
【０１７１】
また、第１実施形態における追体験システムＳのガイダンス端末１０及び配信端末２０、又は第２実施形態における追体験システムＳＢのガイダンス端末１０Ｂ及び無線送信装置６０は、観光者が各観光スポットにおいて記録した音声情報ＲＶと、当該音声情報ＲＶが記録された観光スポットを識別するためのスポット識別情報ＩＤＳと、当該音声情報ＲＶを記録した観光者を識別するためのガイダンス端末識別情報ＩＤＧと、を対応付けてコンテンツサーバ３０に送信することから、追体験者は、観光者が観光スポットを訪れた際の観光スポットにおける生の音声を聴くことができ、臨場感を持って追体験をすることができる。
【０１７２】
また、本実施形態のコンテンツサーバ３０は、受信した音声情報ＲＶと、スポット識別情報ＩＤＳと、ガイダンス端末識別情報ＩＤＧを、観光者が各観光スポットを観光した観光順序を判別するための時間情報と対応付けて蓄積し、又、ユーザ端末５０から受信したユーザ識別情報ＩＤＵ（ガイダンス端末識別情報ＩＤＧと紐付けられている）に応じた音声情報ＲＶと、スポット識別情報ＩＤＵと、時間情報とをユーザ端末５０に送信する。これにより、追体験者は、観光者の観光体験を各観光スポットを移動した順序で追体験することができる。
【０１７３】
また、本実施形態のユーザ端末５０は、追体験者により入力された追体験の基となる観光体験をした観光者に対応するユーザ識別情報ＩＤＵ（ガイダンス端末識別情報ＩＤＧと紐付けられている）に応じた音声情報ＲＶを、当該観光者の観光順序に従って出力させる。これにより、追体験者は、追体験を望む観光体験をした観光者に対応するユーザ識別情報ＩＤＵを入力することで、当該観光体験を各観光スポットを移動した順序で追体験することができる。
【０１７４】
また、第１実施形態に係る図１５乃至図１９に夫々示すフローチャートに相当するプログラムを、フレキシブルディスク又はハードディスク等の情報記録媒体に記録しておき、又はインターネット等を介して取得して記録しておき、これらを汎用のコンピュータで読み出して実行することにより、当該コンピュータを第１実施形態に係るガイダンス端末１０内の制御部１１、配信端末２０内の制御部２１、コンテンツサーバ３０内の制御部３１及びユーザ端末５０内の制御部５１夫々として活用することも可能である。
【０１７５】
また、第２実施形態に係る図１６乃至図１９、図２２に夫々示すフローチャートに相当するプログラムを、フレキシブルディスク又はハードディスク等の情報記録媒体に記録しておき、又はインターネット等を介して取得して記録しておき、これらを汎用のコンピュータで読み出して実行することにより、当該コンピュータを第２実施形態に係るガイダンス端末１０内の制御部１１、コンテンツサーバ３０内の制御部３１及びユーザ端末５０内の制御部５１夫々として活用することも可能である。
【産業上の利用可能性】
【０１７６】
以上夫々説明したように、本発明は観光者の観光体験を追体験するための環境を提供する追体験システムの分野に利用することが可能であり、特に、インターネット上のいわゆるポータルサイトと連携することにより新たなサービスの創出を可能とする。
【図面の簡単な説明】
【０１７７】
【図１】第１実施形態の追体験システムＳの概要構成を示すブロック図である。
【図２】実施形態に係るメニュー画面１００を例示する図である。
【図３】実施形態に係る追体験エリア選択画面１１０を例示する図である。
【図４】実施形態に係る追体験実行画面１２０を例示する図である。
【図５】実施形態に係るコメント書込エリア選択画面１３０を例示する図である。
【図６】実施形態に係るコメント書込画面１４０を例示する図である。
【図７】実施形態に係るコメント閲覧エリア選択画面１５０を例示する図である。
【図８】実施形態に係る第１コメント閲覧画面１６０を例示する図である。
【図９】実施形態に係る第２コメント閲覧画面１７０を例示する図である。
【図１０】第１実施形態に係るガイダンス端末１０の細部構成を示すブロック図である。
【図１１】実施形態に係る配信端末２０の細部構成を示すブロック図である。
【図１２】実施形態に係るコンテンツサーバ３０の細部構成を示すブロック図である。
【図１３】実施形態に係るＤＢ４０のデータ構成を示すブロック図である。
【図１４】実施形態に係るユーザ端末５０の細部構成を示すブロック図である。
【図１５】観光者が観光している際の、第１実施形態に係るガイダンス端末１０、配信端末２０、コンテンツサーバ３０の動作を夫々に示すフローチャートである。
【図１６】ユーザが追体験サービス専用サイトにアクセスした際の、第１実施形態に係るユーザ端末５０、コンテンツサーバ３０の動作を夫々に示すフローチャートである。
【図１７】追体験処理時の、第１実施形態に係るユーザ端末５０、コンテンツサーバ３０の動作を夫々に示すフローチャートである。
【図１８】コメント書込処理時の、第１実施形態に係るユーザ端末５０、コンテンツサーバ３０の動作を夫々に示すフローチャートである。
【図１９】コメント閲覧処理時の、第１実施形態に係るユーザ端末５０、コンテンツサーバ３０の動作を夫々に示すフローチャートである。
【図２０】第２実施形態の追体験システムＳＢの概要構成を示すブロック図である。
【図２１】第２実施形態に係るガイダンス端末１０Ｂの細部構成を示すブロック図である。
【図２２】観光者が観光している際の、第２実施形態に係るガイダンス端末１０Ｂ、コンテンツサーバ３０の動作を夫々に示すフローチャートである。
【符号の説明】
【０１７８】
１０、１０Ｂ    ガイダンス端末
２０    配信端末
３０    コンテンツサーバ
４０    ＤＢ
５０    ユーザ端末
６０    無線送信装置
ＩＤＵ    ユーザ識別情報（ユーザＩＤ）
ＩＤＧ    ガイダンス端末識別情報（ガイダンス端末ＩＤ）
ＩＤＳ    スポット識別情報（スポットＩＤ）
ＲＶ    音声情報
ＧＶ    ガイダンス情報
ＣＭ    コメント情報
Ｓ、ＳＢ    追体験システム
【図１】
2010152727.tif 000003
【図２】
2010152727.tif 000004
【図３】
2010152727.tif 000005
【図５】
2010152727.tif 000006
【図６】
2010152727.tif 000007
【図７】
2010152727.tif 000008
【図８】
2010152727.tif 000009
【図９】
2010152727.tif 000010
【図１０】
2010152727.tif 000011
【図１１】
2010152727.tif 000012
【図１２】
2010152727.tif 000013
【図１３】
2010152727.tif 000014
【図１４】
2010152727.tif 000015
【図１５】
2010152727.tif 000016
【図１６】
2010152727.tif 000017
【図１７】
2010152727.tif 000018
【図１８】
2010152727.tif 000019
【図１９】
2010152727.tif 000020
【図２０】
2010152727.tif 000021
【図２１】
2010152727.tif 000022
【図２２】
2010152727.tif 000023
【図４】
2010152727.tif 000024